(57)【要約】【課題】画像データ又は音声データを記録している他の情報処理装置を報知する情報処理装置を提供すること。【解決手段】ネットワークを介して接続された１つ以上の他の情報処理装置４０に画像データ又は音声データを送信する情報処理装置１０であって、前記情報処理装置が送信した画像データ又は音声データを前記他の情報処理装置が記録する旨の記録通知を前記他の情報処理装置の識別情報と共に受信する受信手段１１と、前記受信手段が受信した前記識別情報に基づいて、前記記録通知を送信した前記他の情報処理装置が画像データ又は音声データを記録中であることを前記他の情報処理装置に対応付けて通知する記録端末通知手段１８ｂと、を有する。【選択図】図１
2020171030.tif 000002
【特許請求の範囲】
【請求項１】
ネットワークを介して接続された１つ以上の他の情報処理装置に画像データ又は音声データの少なくとも一方を送信する情報処理装置であって、
前記情報処理装置が送信した画像データ又は音声データを前記他の情報処理装置が記録する旨の記録通知を前記他の情報処理装置の識別情報と共に受信する受信手段と、
前記受信手段が受信した前記識別情報に基づいて、前記記録通知を送信した前記他の情報処理装置が画像データ又は音声データを記録中であることを前記他の情報処理装置に対応付けて通知する記録端末通知手段と、
前記他の情報処理装置から送信された画像データを表示装置に表示する全画面表示画面、又は、前記他の情報処理装置に関する情報を表示装置に表示する情報表示画面を切り替えて表示する表示制御手段と、
前記受信手段が受信した前記識別情報を記憶する識別情報記憶手段と、
前記識別情報記憶手段に１つも前記識別情報が記憶されていない状態で、前記全画面表示画面の表示中に、前記受信手段が前記記録通知を受信した場合、
前記他の情報処理装置が画像データ又は音声データを記録中である旨を示す記録通知情報の前記全画面表示画面への表示を開始する記録中通知手段と、を有し、
前記情報表示画面の表示中に、前記受信手段が前記記録通知を受信した場合、前記記録端末通知手段は、前記他の情報処理装置が画像データ又は音声データを記録中である旨の前記情報表示画面への表示を開始する情報処理装置。
【請求項２】
前記記録端末通知手段は、前記識別情報記憶手段から前記識別情報を全て読み出して、前記識別情報の前記他の情報処理装置が画像データ又は音声データを記録中であることを前記他の情報処理装置ごとに表示装置に表示する請求項１に記載の情報処理装置。
【請求項３】
通信を行っている１つ以上の前記他の情報処理装置のうち１つでも前記他の情報処理装置が前記記録通知を送信した場合、
前記記録端末通知手段は、前記他の情報処理装置が記録中であることを常に表示装置に表示する請求項２に記載の情報処理装置。
【請求項４】
前記識別情報記憶手段に１つでも前記識別情報が記憶されている場合、前記全画面表示画面の表示中、前記記録中通知手段は、前記他の情報処理装置が画像データ又は音声データを記録中である旨を示す記録通知情報を前記全画面表示画面に表示し、
前記記録端末通知手段は、前記他の情報処理装置に関する情報と共に前記他の情報処理装置が記録中であることを前記情報表示画面に表示する請求項３に記載の情報処理装置。
【請求項５】
前記情報処理装置が送信した画像データ又は音声データを前記他の情報処理装置が記録することを終了する旨の記録終了通知を前記他の情報処理装置の識別情報と共に前記受信手段が受信した場合、
前記記録中通知手段は、前記識別情報記憶手段から前記記録終了通知を送信した前記他の情報処理装置の識別情報を削除し、前記識別情報記憶手段に１つも前記識別情報が記憶されていない場合、前記全画面表示画面の前記記録通知情報を非表示にし、
前記記録端末通知手段は、前記他の情報処理装置が記録中であることを前記情報表示画面において非表示にする請求項４に記載の情報処理装置。
【請求項６】
前記受信手段が、前記他の情報処理装置の死活を監視する外部装置から、前記他の情報処理装置の識別情報と共に、通信が切断された旨の稼動状態の変更情報を受信した場合、
前記記録中通知手段は、前記識別情報記憶手段から前記外部装置が送信した前記他の情報処理装置の識別情報を削除し、前記識別情報記憶手段に１つも前記識別情報が記憶され
ていない場合、前記全画面表示画面の前記記録通知情報を非表示にし、
前記記録端末通知手段は、前記他の情報処理装置が記録中であることを前記情報表示画面において非表示にする請求項５に記載の情報処理装置。
【請求項７】
前記情報処理装置が通信を開始することができる前記他の情報処理装置の宛先リストを有し、前記他の情報処理装置が送信した前記記録通知と前記他の情報処理装置の識別情報を前記情報処理装置に転送する外部装置から、
前記受信手段は、前記宛先リストの前記他の情報処理装置ごとに記録中か否かを含む稼動状態に関する情報を受信し、
前記稼動状態に関する情報に基づいて、前記宛先リストの前記他の情報処理装置が記録中か否かを表示装置に表示する宛先リスト表示手段を有する請求項１〜６のいずれか１項に記載の情報処理装置。
【請求項８】
通信の宛先となる前記他の情報処理装置の選択を受け付ける選択受付手段を有し、
前記選択受付手段が記録中の前記他の情報処理装置の選択を受け付けた場合、前記宛先リスト表示手段は記録中の前記他の情報処理装置と通信を行う旨を表示装置に表示する請求項７に記載の情報処理装置。
【請求項９】
前記他の情報処理装置から受信した画像データを表示装置の前記全画面表示画面に表示する第一の表示制御手段と、
前記画像データが表示される前記全画面表示画面とは異なる前記情報表示画面を表示装置に表示する第二の表示制御手段と、
前記受信手段が前記記録通知を受信した場合、前記第二の表示制御手段に対し、前記情報表示画面に表示された情報を前記他の情報処理装置が記録している旨を前記情報表示画面に表示させる通知手段と、を有する請求項１〜８のいずれか１項に記載の情報処理装置。
【請求項１０】
前記通知手段は、前記全画面表示画面と前記情報表示画面のいずれかを表示装置の最前面に表示する請求項９に記載の情報処理装置。
【請求項１１】
ネットワークを介して画像データ又は音声データの少なくとも一方を送信する複数の情報処理装置を有する伝送システムであって、
第一の情報処理装置は、
第二の情報処理装置が送信した画像データ又は音声データを記録する記録手段と、
前記記録手段が記録を開始した旨の記録通知を送信する送信手段と、を有し、
前記第二の情報処理装置は、
前記記録通知を前記第一の情報処理装置の識別情報と共に受信する受信手段と、
前記受信手段が受信した前記識別情報に基づいて、前記記録通知を送信した前記第一の情報処理装置が画像データ又は音声データを録画中であることを前記第一の情報処理装置に対応付けて通知する記録端末通知手段と、
前記第一の情報処理装置から送信された画像データを表示装置に表示する全画面表示画面、又は、前記第一の情報処理装置に関する情報を表示装置に表示する情報表示画面を切り替えて表示する表示制御手段と、
前記受信手段が受信した前記識別情報を記憶する識別情報記憶手段と、
前記識別情報記憶手段に１つも前記識別情報が記憶されていない状態で、前記全画面表示画面の表示中に、前記受信手段が前記記録通知を受信した場合、
前記第一の情報処理装置が画像データ又は音声データを記録中である旨を示す記録通知情報の前記全画面表示画面への表示を開始する記録中通知手段と、を有し、
前記情報表示画面の表示中に、前記受信手段が前記記録通知を受信した場合、前記記録端末通知手段は、前記第一の情報処理装置が画像データ又は音声データを記録中である旨の前記情報表示画面への表示を開始する伝送システム。
【請求項１２】
前記第一の情報処理装置と前記第二の情報処理装置の通信を管理する第三の情報処理装置を有し、
前記第三の情報処理装置は、
前記第二の情報処理装置が通信を開始することができる他の情報処理装置の宛先リストが記憶された宛先リスト記憶手段と、
前記第二の情報処理装置が送信する画像データ又は音声データを前記第一の情報処理装置が記録しているか否かが登録された稼動状態を記憶する端末状態記憶手段と、
前記稼動状態を前記第二の情報処理装置に送信する送信手段と、を有し、
前記第二の情報処理装置は、
前記宛先リストの前記他の情報処理装置ごとに前記稼動状態を受信する受信手段と、
前記稼動状態に基づいて、前記宛先リストの前記他の情報処理装置が画像データ又は音声データを記録中か否かを表示装置に表示する宛先リスト表示手段と、
を有する請求項１１に記載の伝送システム。
【請求項１３】
前記第三の情報処理装置は、
画像データ又は音声データを記録している前記第一の情報処理装置と通信中の全ての情報処理装置の前記稼動状態に、画像データ又は音声データを記録している旨を登録する請求項１２に記載の伝送システム。
【請求項１４】
ネットワークを介して接続された１つ以上の他の情報処理装置に画像データ又は音声データの少なくとも一方を送信する情報処理装置を、
前記情報処理装置が送信した画像データ又は音声データを前記他の情報処理装置が記録する旨の記録通知を前記他の情報処理装置の識別情報と共に受信する受信手段と、
前記受信手段が受信した前記識別情報に基づいて、前記記録通知を送信した前記他の情報処理装置が画像データ又は音声データを記録中であることを前記他の情報処理装置に対応付けて通知する記録端末通知手段と、
前記他の情報処理装置から送信された画像データを表示装置に表示する全画面表示画面、又は、前記他の情報処理装置に関する情報を表示装置に表示する情報表示画面を切り替えて表示する表示制御手段と、
前記受信手段が受信した前記識別情報を記憶する識別情報記憶手段と、
前記識別情報記憶手段に１つも前記識別情報が記憶されていない状態で、前記全画面表示画面の表示中に、前記受信手段が前記記録通知を受信した場合、
前記他の情報処理装置が画像データ又は音声データを記録中である旨を示す記録通知情報の前記全画面表示画面への表示を開始する記録中通知手段、として機能させ、
前記情報表示画面の表示中に、前記受信手段が前記記録通知を受信した場合、前記記録端末通知手段は、前記他の情報処理装置が画像データ又は音声データを記録中である旨の前記情報表示画面への表示を開始するプログラム。
【発明の詳細な説明】
【技術分野】
【０００１】
本発明は、情報処理装置、伝送システム及びプログラムに関する。
【背景技術】
【０００２】
インターネット等のネットワークを介して複数の端末装置間でビデオ会議等を行う伝送システムが知られている。このような伝送システムでは、一方の伝送端末でビデオ会議中に収集された画像データ及び音声データを他方の伝送端末に送信する。他方の伝送端末はこの画像データ及び音声データを受信し、ディスプレイ等に画像を表示したり、スピーカから音声を出力したりすることで、これらの伝送端末間でビデオ会議を行うことができる。
【０００３】
このような伝送システムにおいては、会議に参加する伝送端末は２台とは限らず、ビデオ会議に参加する伝送端末が３台以上となる多拠点間でビデオ会議が開催される場合も少なくない。
【０００４】
また、上記のように各拠点は映像を表示したり音声を出力したりすることができるが、各拠点の伝送端末が映像を録画したり音声を録音したりする機能を有する場合がある（例えば、特許文献１参照。）。これは、ビデオ会議に参加できなった者が後に会議の内容を把握したり確認したりするためである。
【発明の概要】
【発明が解決しようとする課題】
【０００５】
しかしながら、ビデオ会議で送信される画像や音声は秘匿性が高い情報が多いため、録画や録音されることを好まない参加者も少なくない。あるいは画像に含まれる自分の肖像が記録されることを好まない参加者も存在する。この点に関し、特許文献１に開示された通信システムは、各拠点が同じ記録装置に通信情報を記録する技術であり、任意の拠点が録画又は録音している場合に、録画又は録音している拠点を他の拠点の参加者が特定しにくいという問題がある。
【０００６】
例えば、拠点Ａ〜Ｃでビデオ会議が行われており、拠点Ｃが画像の録画又は音声の録音を行っている場合、拠点Ａの参加者は、拠点ＢとＣのどちらが録画又は録音しているのか分からず、拠点Ｂの参加者は、拠点ＡとＣのどちらが録画又は録音しているのか分からない。このため、どの拠点に対し録画や録音の停止を要求すべきか判断しにくいし、秘匿性の高い情報を提示してよいかどうかを判断しにくい。
【０００７】
本発明は、上記課題に鑑み、画像データ又は音声データを記録している他の情報処理装置を報知する情報処理装置を提供することを目的とする。
【課題を解決するための手段】
【０００８】
本発明は、ネットワークを介して接続された１つ以上の他の情報処理装置に画像データ又は音声データの少なくとも一方を送信する情報処理装置であって、前記情報処理装置が送信した画像データ又は音声データを前記他の情報処理装置が記録する旨の記録通知を前記他の情報処理装置の識別情報と共に受信する受信手段と、前記受信手段が受信した前記識別情報に基づいて、前記記録通知を送信した前記他の情報処理装置が画像データ又は音声データを記録中であることを前記他の情報処理装置に対応付けて通知する記録端末通知手段と、前記他の情報処理装置から送信された画像データを表示装置に表示する全画面表示画面、又は、前記他の情報処理装置に関する情報を表示装置に表示する情報表示画面を切り替えて表示する表示制御手段と、前記受信手段が受信した前記識別情報を記憶する識別情報記憶手段と、前記識別情報記憶手段に１つも前記識別情報が記憶されていない状態で、前記全画面表示画面の表示中に、前記受信手段が前記記録通知を受信した場合、前記他の情報処理装置が画像データ又は音声データを記録中である旨を示す記録通知情報の前記全画面表示画面への表示を開始する記録中通知手段と、を有し、前記情報表示画面の表示中に、前記受信手段が前記記録通知を受信した場合、前記記録端末通知手段は、前記他の情報処理装置が画像データ又は音声データを記録中である旨の前記情報表示画面への表示を開始する。
【発明の効果】
【０００９】
画像データ又は音声データを記録している他の情報処理装置を報知する情報処理装置を提供することができる。
【図面の簡単な説明】
【００１０】
【図１】伝送システムの動作の概略を説明する図の一例である。
【図２】伝送システムの概略図の一例である。
【図３】伝送システムにおける画像データ、音声データ及び各種管理情報の送受信の状態を示した概念図である。
【図４】伝送端末のハードウェア構成図の一例である。
【図５】伝送管理装置、ＵＩ提供装置、中継装置又はプログラム提供装置のハードウェア構成図である。
【図６】伝送システムに含まれる各端末の機能ブロック図の一例である。
【図７】情報処理端末の機能ブロック図の一例である。
【図８】伝送端末が準備状態になる例が示されている。
【図９】伝送端末がビデオ会議に参加する参加状態になるまでの会議参加動作を示すシーケンス図の一例である。
【図１０】情報処理端末が録画を開始したり終了したりした場合の動作を示すシーケンス図の一例である。
【図１１】図８のステップＳ３２で表示される宛先リスト画面の一例を示す図である。
【図１２】ユーザが録画拠点マークの宛先を選択した場合に表示される確認ダイアログ画面を説明する図の一例である。
【図１３】全画面表示モードでディスプレイに表示された画面例を示す図である。
【図１４】簡易表示の補助領域の一例を示す図である。
【図１５】補助領域が表示されない場合の他拠点録画マーク及びラベルの表示例を示す図である。
【図１６】参加拠点のうち録画している拠点がない場合の全画面表示画面の一例である。
【図１７】会議中の伝送端末が録画通知情報の表示を制御する手順を示すフローチャート図の一例である。
【図１８】セッションが途切れたことを伝送管理装置が検出した場合の伝送システム１の動作手順を示すシーケンス図の一例である。
【図１９】伝送端末が端末状態変更情報を受信した場合の処理を説明するフローチャート図の一例である。
【図２０】情報表示モードでディスプレイに表示された情報表示画面の一例を示す図である。
【図２１】伝送端末が情報表示モードに切り替えられた際に、端末情報表示領域に端末情報を表示させる端末情報表示動作を示したシーケンス図の一例である。
【図２２】伝送端末の機能を有する電子黒板を説明する図の一例である。
【図２３】電子黒板の動作の概略を説明する図の一例である。
【図２４】電子黒板アプリが生成する電子黒板ＵＩ画面が表示された電子黒板のディスプレイを示す図の一例である。
【図２５】ビデオ会議アプリが生成するビデオ会議ＵＩ画面が表示された電子黒板のディスプレイを示す図の一例である。
【図２６】電子黒板のハードウェア構成図である。
【図２７】電子黒板の機能ブロック図の一例である。
【図２８】各画像レイヤの構成図の一例である。
【図２９】ページデータを概念的に示す図である。
【図３０】ストローク配列データを概念的に示す図である。
【図３１】座標配列データを概念的に示す図である。
【図３２】メディアデータを概念的に示す図である。
【図３３】電子黒板で動作するビデオ会議アプリが録画開始通知を受信した場合の動作手順を示すシーケンス図の一例である。
【図３４】他の拠点が録画している旨が表示された電子黒板ＵＩ画面の一例である。
【図３５】インタフェース部が電子黒板ＵＩ画面とビデオ会議ＵＩ画面の表示順を変更する手順を示すシーケンス図の一例である。
【発明を実施するための形態】
【００１１】
以下、本発明を実施するための形態について図面を参照しながら説明する。
【実施例１】
【００１２】
図１は、本実施形態の伝送システム１の動作の概略を説明する図の一例である。伝送端末１０ａａは、伝送端末１０ｂａ及び情報処理端末４０ｂｄとビデオ会議を行っている。伝送端末１０ａａは、伝送端末１０ｂａ及び情報処理端末４０ｂｄからの画像を合成してディスプレイ１２０に表示する（このような画面を全画面表示画面５０１という）。同様の画像を、伝送端末１０ｂａ及び情報処理端末４０ｂｄも表示している。
【００１３】
（１）本実施形態の情報処理端末４０ｂｄはビデオ会議中に画像の録画を開始すると、録画開始通知（記録通知の一例）を伝送端末１０ａａ、１０ｂａに送信する。以下では、説明の便宜上、伝送端末１０ａａに着目して説明する。
【００１４】
（２）伝送端末１０ａａは録画開始通知に含まれる情報処理端末４０ｂｄの通信ＩＤ（０４ｂｄ）を保持しておく。
【００１５】
（３）伝送端末１０ａａのユーザが録画している拠点を確認するため情報表示画面６０１を表示させると、保持しておいた通信ＩＤを用いて録画している拠点を強調して表示する。図１では、端末名と通信ＩＤが表示されているが、録画している情報処理端末４０ｂｄの端末名の先頭に録画拠点マーク７１が表示されている。伝送端末１０ａａのユーザはこの録画拠点マーク７１により複数の拠点の内どの拠点で録画されているかを判断できる。
【００１６】
このように、本実施形態の伝送システム１では、他拠点で会議を行っている場合に、どの拠点が録画しているかを他の拠点の参加者がリアルタイムに把握、確認又は特定等することができる。
【００１７】
＜用語について＞
情報処理装置の識別情報は、情報処理装置を他の情報処理装置等が特定するための情報である。具体的には通信ＩＤが挙げられる。この他、端末名、ＭＡＣアドレス、メールアドレス、ユーザ名、ユーザＩＤ等で特定されてもよい。
【００１８】
また、情報処理装置は画像データ又は音声データの少なくとも一方を送受信することができる装置である。本実施形態では伝送端末１０又は情報処理端末４０という用語で説明する。
【００１９】
記録中であることを他の情報処理装置に対応付けて通知するとは、情報処理装置の端末名や通信ＩＤなど情報処理装置を特定できる情報と共に、画像データ又は音声データの少なくとも一方を記録中である旨を出力することをいう。出力には、表示の他、音声による通知も含まれる。本実施形態では、例えば録画拠点マーク７１が端末名と通信ＩＤに対応付けて表示されることを例にする。
【００２０】
また、画像データ又は音声データの記録とは、保存、保持、格納又は記憶等で表される処理をいう。記録された画像データ又は音声データは再生することができる。また、記録を、録画又は録音と称する場合がある。
【００２１】
他の情報処理装置に関する情報とは、参加者が会議に参加している他の参加者を把握可能な情報をいう。例えば、端末名と通信ＩＤの少なくとも一方である。
【００２２】
通信中とは、２つ以上の伝送端末１０及び情報処理端末４０が画像データ又は音声データを送受信していることをいう。具体的には、ビデオ会議の会議中、ビデオ会議に参加中であることをいう。
【００２３】
記録通知とは記録を開始すること、記録していること、を通知することをいい、記録終了通知とは記録を終了した旨を通知することをいう。
【００２４】
＜実施形態の全体構成＞
図２は、本実施形態に係る伝送システム１の概略図である。図３は、伝送システム１における画像データ、音声データ及び各種管理情報の送受信の状態を示した概念図である。伝送システム１には、伝送管理装置５０を介して一方の伝送端末から複数の伝送端末に一方向でコンテンツデータを伝送するデータ提供システムが含まれる。また、伝送管理装置５０を介して複数の伝送端末間で情報や感情等を相互に伝達するコミュニケーションシステムが含まれる。コミュニケーションシステムは、コミュニケーション管理装置（「伝送管理装置５０」に相当）を介して複数のコミュニケーション端末（「伝送端末」に相当）間で情報や感情等を相互に伝達するためのシステムである。ビデオ会議システムやビデオ電話システム等が例として挙げられる。
【００２５】
本実施形態では、コミュニケーションシステムの一例としてのビデオ会議システム、コミュニケーション管理装置の一例としてのビデオ会議管理装置及びコミュニケーション端末の一例としてのビデオ会議端末を想定した上で、伝送システム１、伝送管理装置５０及び伝送端末１０について説明する。即ち、本発明の伝送端末及び伝送管理装置５０は、ビデオ会議システムに適用されるだけでなく、コミュニケーションシステム、又はデータ伝送システムにも適用される。
【００２６】
図２に示すように、伝送システム１は、複数の伝送端末１０ａａ、１０ａｂ、・・・と、各伝送端末１０ａａ、１０ａｂ、・・・用のディスプレイ１２０ａａ、１２０ａｂ、・・・と、ＵＩ提供装置２０と、情報処理端末４０ｂｄ、ｂｅと、中継装置３０と、伝送管理装置５０と、プログラム提供装置９０と、を備えている。伝送端末１０ａａ、１０ａｂ、・・・は、コンテンツデータとして、例えば、画像データ及び音声データの送受信による伝送を行うようになっている。
【００２７】
ＵＩ提供装置２０は、伝送端末１０ａａ、１０ａｂ、・・・に主に拠点数を表示するための後述するレイアウト情報を送信する装置である。ＵＩ提供装置２０は例えば伝送管理装置５０や中継装置３０が兼ねてもよい。
【００２８】
また、情報処理端末４０は、伝送端末１０の機能がソフトウェアで実現された装置である。具体的には、例えば、ＰＣ（Personal Computer）、タブレット型端末、スマートフォン、携帯電話、ＰＤＡ（Personal Digital Assistant）、ゲーム機、カーナビゲーション装置、又は、電子書籍用端末などである。
【００２９】
なお、以下の説明において、複数の伝送端末１０ａａ、１０ａｂ、・・・のうち、任意の伝送端末は、「伝送端末１０」と表され、複数のディスプレイ１２０ａａ、１２０ａｂ、・・・のうち、任意のディスプレイは、「ディスプレイ１２０」と表される。複数の情報処理端末４０ｂｄ，ｂｅのうち、任意の情報処理端末は、「情報処理端末４０」と表される。また、ビデオ会議の開始を要求する要求元の伝送端末１０は、「要求元端末」と表され、要求先の伝送端末１０は、「宛先端末」と表される。
【００３０】
また、ビデオ会議に参加している伝送端末１０又は伝送端末１０が設置されていることが想定される場所を「拠点」と称する。あるいは、伝送端末１０を使用する相手のユーザと称してもよい。ビデオ会議に参加している伝送端末１０が特定されれば、ユーザは伝送端末１０が設置されていることが想定される場所や相手のユーザを推定できる。後述する端末名により、ユーザは相手や伝送端末１０が設置されていることが想定される場所を推定できる。また、相手の居場所がどこであるかを特定する必要はなく、相手がいる場所が拠点である。また、相手とは個人を特定する必要はなく、企業名などの属性が分かればよい。例えば企業ユースでは、相手の伝送端末１０が特定されれば、ユーザは相手や相手の居場所も推定できる。拠点の数は、ビデオ会議に参加している伝送端末１０の数と同じであるが、１つと見なせる空間に（例えば１つの会議室）に複数の伝送端末１０が存在してもよい。
【００３１】
図３に示すように、伝送システム１において、要求元端末である伝送端末１０ａａと宛先端末である伝送端末１０ａｂ（符号は一例）との間では、伝送管理装置５０を介して、各種の管理情報を送受信するための管理情報用セッションｓｅｉが確立される。
【００３２】
また、管理情報用セッションｓｅｉが確立した伝送端末１０間では、中継装置３０を介して、高解像度の画像データｓｅｄ１、中解像度の画像データｓｅｄ２、低解像度の画像データｓｅｄ３及び音声データｓｅｄ４の４つの各データを送受信するための４つのセッションが確立される。なお、本実施形態において、これら４つのセッションは、まとめて、「画像・音声データ用セッションｓｅｄ」と表される。
【００３３】
図２において、中継装置３０は、複数の伝送端末１０の間で、コンテンツデータの中継を行うようになっている。伝送管理装置５０は、伝送端末１０からのログイン認証、伝送端末１０の伝送状態の管理、宛先リストの管理等及び中継装置３０の伝送状態等を一元的に管理するようになっている。なお、画像データが表す画像は、動画であっても静止画であってもよく、動画と静止画との両方であってもよい。
【００３４】
複数のルータ７０ａ、７０ｂ、７０ｃ、７０ｄ、７０ａｂ、７０ｃｄは、画像データ及び音声データの最適な経路の選択を行う。なお、以下の説明において、ルータ７０ａ、７０ｂ、７０ｃ、７０ｄ、７０ａｂ、７０ｃｄのうち、任意のルータは、「ルータ７０」と表される。
【００３５】
プログラム提供装置９０は、後述するＨＤ（Hard Disk）２０４を備えており、伝送端末１０に各種機能を実現させるための伝送端末制御プログラム１０００ａが記憶され、伝送端末制御プログラム１０００ａを伝送端末１０に送信することができる。
【００３６】
また、プログラム提供装置９０のＨＤ２０４には、中継装置３０に各種機能を実現させるための中継装置用プログラムも記憶されており、中継装置用プログラムを中継装置３０に送信することができる。
【００３７】
更に、プログラム提供装置９０のＨＤ２０４には、伝送管理装置５０に各種機能を実現させるための伝送管理プログラム５０００ａも記憶されており、伝送管理プログラム５０００ａを伝送管理装置５０に送信することができる。
【００３８】
また、プログラム提供装置９０のＨＤ２０４には、ＵＩ提供装置２０に各種機能を実現させるためのＵＩ提供装置用プログラムも記憶されており、ＵＩ提供装置用プログラムをＵＩ提供装置２０に送信することができる。
【００３９】
また、プログラム提供装置９０のＨＤ２０４には、情報処理端末４０に各種機能を実現させるための情報処理端末用プログラム１０００ｃも記憶されており、情報処理端末用プログラム１０００ｃを情報処理端末４０に送信することができる。
【００４０】
伝送端末１０ａａ、１０ａｂ、１０ａｃ、・・・及びルータ７０ａは、ＬＡＮ２ａによって伝送可能に接続されている。伝送端末１０ｂａ、１０ｂｂ、１０ｂｃ、・・・及びルータ７０ｂは、ＬＡＮ２ｂによって伝送可能に接続されている。
【００４１】
また、ＬＡＮ２ａ及びＬＡＮ２ｂは、ルータ７０ａｂが含まれた専用線２ａｂによって伝送可能に接続されており、所定の地域Ａ内に設けられている。例えば、地域Ａは、日本であり、ＬＡＮ２ａは東京の事業所内に設けられ、ＬＡＮ２ｂは大阪の事業所内に設けられている。
【００４２】
一方、伝送端末１０ｃａ、１０ｃｂ、１０ｃｃ、・・・及びルータ７０ｃは、ＬＡＮ２ｃによって伝送可能に接続されている。伝送端末１０ｄａ、１０ｄｂ、１０ｄｃ、・・・及びルータ７０ｄは、ＬＡＮ２ｄによって伝送可能に接続されている。
【００４３】
また、ＬＡＮ２ｃ及びＬＡＮ２ｄは、ルータ７０ｃｄが含まれた専用線２ｃｄによって伝送可能に接続されており、所定の地域Ｂ内に設けられている。例えば、地域Ｂはアメリカ合衆国であり、ＬＡＮ２ｃはニューヨークの事業所内に設けられ、ＬＡＮ２ｄはワシントンＤ．Ｃ．の事業所内に設けられている。地域Ａ及び地域Ｂは、それぞれルータ７０ａｂ、７０ｃｄからインターネット２ｉを介して相互に伝送可能に接続されている。
【００４４】
また、中継装置３０、伝送管理装置５０、ＵＩ提供装置２０、情報処理端末４０、及びプログラム提供装置９０は、インターネット２ｉを介して、各伝送端末１０と伝送可能に接続されている。ここで、中継装置３０、伝送管理装置５０、ＵＩ提供装置２０、情報処理端末４０及びプログラム提供装置９０は、地域Ａ又は地域Ｂに設置されていてもよいし、これら以外の地域に設置されていてもよい。
【００４５】
なお、本実施形態では、ＬＡＮ２ａ、ＬＡＮ２ｂ、専用線２ａｂ、インターネット２ｉ、専用線２ｃｄ、ＬＡＮ２ｃ及びＬＡＮ２ｄによって、本実施形態の伝送ネットワーク２が構成されている。伝送ネットワーク２には、有線だけでなく、ＷｉＦｉ（Wireless Fidelity）や、Ｂｌｕｅｔｏｏｔｈ（登録商標）等の無線による伝送が行われる箇所があってもよい。
【００４６】
また、図２において、各伝送端末１０、中継装置３０、伝送管理装置５０、各ルータ７０、ＵＩ提供装置２０、情報処理端末４０及びプログラム提供装置９０の下に示されている４組の数字は、一般的なＩＰｖ４におけるＩＰアドレスを簡易的に示している。例えば、伝送端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００４７】
なお、各伝送端末１０は、複数の事業所間でのビデオ会議や、同じ事業所内の異なる部屋間でのビデオ会議だけでなく、同じ部屋内でのビデオ会議や、屋外と屋内又は屋外と屋外でのビデオ会議で使われてもよい。各伝送端末１０が屋外で使われる場合には、携帯電話伝送網等の無線による伝送が行われる。
【００４８】
＜伝送端末のハードウェア構成＞
図４は、伝送端末のハードウェア構成図の一例である。図４に示すように、伝送端末１０は、伝送端末１０全体の動作を制御するＣＰＵ（Central Processing Unit）１０１と、ＩＰＬ（Initial Program Loader）等のＣＰＵ１０１の駆動に用いられるプログラムを記憶したＲＯＭ（Read Only Memory）１０２とを有する。また、ＣＰＵ１０１のワークエリアとして使用されるＲＡＭ（Random Access Memory）１０３と、伝送端末制御プログラム１０００ａ、画像データ及び音声データ等の各種データを記憶するフラッシュメモリ１０４と、を有する。また、ＣＰＵ１０１の制御に従ってフラッシュメモリ１０４に対する各種データの読み出し又は書き込みを制御するＳＳＤ（Solid State Drive）１０５を有する。また、フラッシュメモリ等の記録メディア１０６に対するデータの読み出し又は書き込み（記憶）を制御するメディアドライブ１０７と、伝送端末１０の宛先を選択する場合などに操作される操作ボタン１０８と、を有する。また、伝送端末１０の電源のＯＮ／ＯＦＦを切り換えるための電源スイッチ１０９と、伝送ネットワーク２を利用してデータ伝送をするためのネットワークＩ／Ｆ（Interface）１１１と、を備えている。
【００４９】
また、伝送端末１０は、ＣＰＵ１０１の制御に従って被写体を撮像して画像データを得る内蔵型のカメラ１１２と、カメラ１１２の駆動を制御する撮像素子Ｉ／Ｆ１１３と、音を入力する内蔵型の集音装置としてのマイク１１４と、を有する。また、音を出力する内蔵型のスピーカ１１５と、ＣＰＵ１０１の制御に従ってマイク１１４及びスピーカ１１５との間で音信号の入出力を処理する音入出力Ｉ／Ｆ１１６と、を有する。また、ＣＰＵ１０１の制御に従って外付けのディスプレイ１２０に画像データを伝送するディスプレイＩ／Ｆ１１７と、を有する。また、各種の外部機器を接続するための外部機器接続Ｉ／Ｆ１１８と、上記各構成要素を電気的に接続するためのアドレスバスやデータバス等のバスライン１１０と、を備えている。
【００５０】
ディスプレイ１２０は、被写体の画像や操作用アイコン等を表示する液晶や有機ＥＬによって構成された表示装置を構成する。ディスプレイ１２０は、ケーブル１２０ｃによってディスプレイＩ／Ｆ１１７に接続されている。ケーブル１２０ｃは、アナログＲＧＢ（ＶＧＡ）信号用のケーブルであってもよいし、コンポーネントビデオ用のケーブルであってもよいし、ＨＤＭＩ（登録商標）（High-Definition Multimedia Interface）やＤＶＩ（Digital Video Interactive）信号用のケーブルであってもよい。
【００５１】
カメラ１１２は、レンズと、光を電荷に変換して被写体の像を電子化する固体撮像素子とを含み、固体撮像素子として、ＣＭＯＳ（Complementary Metal Oxide Semiconductor）又はＣＣＤ（Charge Coupled Device）等が用いられる。
【００５２】
外部機器接続Ｉ／Ｆ１１８には、ＵＳＢ（Universal Serial Bus）ケーブル等によって、外付けカメラ、外付けマイク及び外付けスピーカ等の外部機器を接続できるようになっている。
【００５３】
外部機器接続Ｉ／Ｆ１１８に外付けカメラが接続された場合には、ＣＰＵ１０１は、内蔵型のカメラ１１２に優先して、外付けカメラを駆動するようになっている。また、外部機器接続Ｉ／Ｆ１１８に外付けマイクや外付けスピーカが接続された場合には、ＣＰＵ１０１は、内蔵型のマイク１１４や内蔵型のスピーカ１１５にそれぞれ優先して、外付けマイクや外付けスピーカを駆動するようになっている。
【００５４】
なお、記録メディア１０６は、伝送端末１０に対して着脱自在に構成されている。また、伝送端末１０は、ＣＰＵ１０１の制御に従ってデータの読み出し又は書き込みを行う不揮発性メモリであれば、フラッシュメモリ１０４に代えて、ＥＥＰＲＯＭ（Electrically Erasable and Programmable ROM）等を用いてもよい。
【００５５】
また、伝送端末制御プログラム１０００ａは、インストール可能な形式又は実行可能な形式のファイルで、記録メディア１０６等のような、コンピュータで読み取り可能な記録媒体に記録して流通させるようにしてもよい。また、伝送端末制御プログラム１０００ａは、フラッシュメモリ１０４ではなくＲＯＭ１０２に記憶させるようにしてもよい。
【００５６】
情報処理端末４０は、伝送端末１０と同様のハードウェア構成を有しているか、差異があるとしても少なくとも本実施形態の説明においては支障がないものとする。但し、ＳＳＤ１０５には、情報処理端末４０を制御するための情報処理端末用プログラム１０００ｃが記録されている。
【００５７】
<<伝送管理装置５０、ＵＩ提供装置、中継装置、プログラム提供装置のハードウェア構成図>>
図５は、伝送管理装置５０、ＵＩ提供装置２０、中継装置又はプログラム提供装置のハードウェア構成図である。図５に示すように、伝送管理装置５０は、伝送管理装置５０全体の動作を制御するＣＰＵ２０１と、ＩＰＬ等のＣＰＵ２０１の駆動に用いられるプログラムを記憶したＲＯＭ２０２と、ＣＰＵ２０１のワークエリアとして使用されるＲＡＭ２０３と、を有する。また、伝送管理プログラム等の各種データを記憶するＨＤ２０４と、ＣＰＵ２０１の制御に従ってＨＤ２０４に対する各種データの読み出し又は書き込みを制御するＨＤＤ（Hard Disk Drive）２０５と、を有する。また、フラッシュメモリ等の記録メディア２０６に対するデータの読み出し又は書き込み（記憶）を制御するメディアドライブ２０７と、カーソル、メニュー、ウィンドウ、文字、又は画像などの各種情報を表示するディスプレイ２０８と、を有する。また、伝送ネットワーク２を利用してデータ伝送をするためのネットワークＩ／図２８０９と、文字、数値、各種指示などの入力のための複数のキーを備えたキーボード２１１と、を有する。また、各種指示の選択や実行、処理対象の選択、カーソルの移動などを行うマウス２１２と、を有する。また、着脱可能な記録媒体の一例としての光記憶媒体（Compact Disc Read Only Memory）２１３に対する各種データの読み出し又は書き込みを制御する光学ドライブ２１４と、を有する。また、上記各構成要素を電気的に接続するためのアドレスバスやデータバス等のバスライン２１０と、を備えている。
【００５８】
なお、伝送管理プログラムは、インストール可能な形式又は実行可能な形式のファイルで、記録メディア２０６や光記憶媒体２１３等のコンピュータで読み取り可能な記録媒体に記録して流通させるようにしてもよい。また、伝送管理プログラムは、ＨＤ２０４ではなくＲＯＭ２０２に記憶されていてもよい。
【００５９】
また、中継装置３０は、伝送管理装置５０と同様のハードウェア構成を有しているため、その説明を省略する。但し、ＨＤ２０４には、中継装置３０を制御するための中継装置用プログラムが記録されている。
【００６０】
この場合も、中継装置用プログラムは、インストール可能な形式又は実行可能な形式のファイルで、記録メディア２０６や光記憶媒体２１３等のコンピュータで読み取り可能な記録媒体に記録して流通させるようにしてもよい。また、中継装置用プログラムは、ＨＤ２０４ではなくＲＯＭ２０２に記憶されていてもよい。
【００６１】
また、プログラム提供装置９０は、伝送管理装置５０と同様のハードウェア構成を有しているため、その説明を省略する。但し、ＨＤ２０４には、プログラム提供装置９０を制御するためのプログラム提供装置用プログラムが記録されている。
【００６２】
この場合も、プログラム提供装置用プログラムは、インストール可能な形式又は実行可能な形式のファイルで、記録メディア２０６や光記憶媒体２１３等のコンピュータで読み取り可能な記録媒体に記録して流通させるようにしてもよい。また、プログラム提供装置用プログラムは、ＨＤ２０４ではなくＲＯＭ２０２に記憶されていてもよい。
【００６３】
また、ＵＩ提供装置２０は、伝送管理装置５０と同様のハードウェア構成を有しているため、その説明を省略する。但し、ＨＤ２０４には、ＵＩ提供装置２０を制御するためのＵＩ提供装置用プログラム及び後述するレイアウト情報が記録されている。
【００６４】
この場合も、ＵＩ提供装置用プログラム及びレイアウト情報は、インストール可能な形式又は実行可能な形式のファイルで、記録メディア２０６や光記憶媒体２１３等のコンピュータで読み取り可能な記録媒体に記録して流通させるようにしてもよい。また、ＵＩ提供装置用プログラム及びレイアウト情報は、ＨＤ２０４ではなくＲＯＭ２０２に記憶されていてもよい。
【００６５】
なお、上記したコンピュータで読み取り可能な記録媒体として、ＣＤ−Ｒ（Compact Disc Recordable）、ＤＶＤ（Digital Versatile Disk）、ブルーレイディスク等を適用してもよい。
【００６６】
なお、図示する伝送管理装置５０等のハードウェア構成は、１つの筐体に収納されていたりひとまとまりの装置として備えられていたりする必要はなく、伝送管理装置５０等が備えていることが好ましいハード的な要素を示す。また、クラウドコンピューティングに対応するため、本実施例の伝送管理システム５０等の物理的な構成は固定的でなくてもよく、負荷に応じてハード的なリソースが動的に接続・切断されることで構成されてよい。
【００６７】
＜伝送システム１の機能構成＞
図６は、伝送システム１に含まれる各端末の機能ブロック図である。伝送端末１０、中継装置３０、情報処理端末４０，ＵＩ提供装置２０及び伝送管理装置５０は、伝送ネットワーク２を介してデータを伝送することができるように接続されている。なお、図２に示した、中継装置３０及びプログラム提供装置９０は、必要に応じて説明される。情報処理端末４０については、図７にて説明される。
【００６８】
<<伝送端末の機能構成>>
伝送端末１０は、送受信部１１、操作入力受付部１２、ログイン要求部１３、撮像部１４、音入力部１５ａ、音出力部１５ｂ、宛先リスト表示部１６、表示制御部１７、及び記憶・読出処理部１９を有している。これら各部は、図４のフラッシュメモリ１０４からＲＡＭ１０３上に展開された伝送端末制御プログラム１０００ａを実行するＣＰＵ１０１によって実現される機能である。また、伝送端末１０は、ＲＡＭ１０３及びフラッシュメモリ１０４によって構成される記憶部１０００を有している。記憶部１０００には伝送端末制御プログラム１０００ａ及び録画中管理テーブル１０００ｂが記憶されている。
【００６９】
【表１】
2020171030.tif 000003
表１は録画中管理テーブル１０００ｂの一例を示す。録画中管理テーブル１０００ｂには録画中の伝送端末１０及び情報処理端末４０の通信ＩＤが登録されている。すなわち、録画を開始した伝送端末１０及び情報処理端末４０は録画開始通知（通信ＩＤを含む）を他の伝送端末１０及び情報処理端末４０に送信するので、録画開始通知を受信した伝送端末１０及び情報処理端末４０は通信ＩＤを録画中管理テーブル１０００ｂに登録する。複数の伝送端末１０及び情報処理端末４０が録画している場合は、録画開始通知を送信した全ての伝送端末１０及び情報処理端末４０の通信ＩＤが送信した録画開始通知が録画中管理テーブル１０００ｂによって保持される。
【００７０】
なお、説明の便宜上、「０１」で始まる通信ＩＤは伝送端末１０の通信ＩＤを意味し、「０４」で始まる通信ＩＤは情報処理端末４０の通信ＩＤを意味しているものとして説明する。
【００７１】
（伝送端末の各機能構成）
送受信部１１は、ＣＰＵ１０１及びネットワークＩ／Ｆ１１１等によって構成され、伝送ネットワーク２を介して他の伝送端末１０、情報処理端末４０、中継装置３０、伝送管理装置５０、又は、プログラム提供装置９０と各種データや情報の送受信を行うようになっている。
【００７２】
送受信部１１は、所望の宛先端末とビデオ会議を開始する前から、伝送管理装置５０より、ビデオ会議の接続先の候補としての各伝送端末１０の状態を示す各状態情報の受信を開始するようになっている。状態情報は、各伝送端末１０がオンラインかオフラインかの稼動状態を表すだけでなく、オンラインで伝送可能であるか、オンラインで伝送中であるか等の詳細な稼動状態も表す。
【００７３】
また、状態情報は、各伝送端末１０の稼動状態だけでなく、伝送端末１０でケーブル１２０ｃが伝送端末１０から外れていたり、音を出力するが画像は出力させなかったり、音を出力させないようにする（ＭＵＴＥ）等、様々な状態を表す。以下の説明においては、本発明を理解しやすくするために、状態情報が各伝送端末１０の稼動状態を表す場合について説明する。
【００７４】
操作入力受付部１２は、ＣＰＵ１０１、操作ボタン１０８及び電源スイッチ１０９等によって構成され、ユーザによる各種入力を受け付けるようになっている。例えば、ユーザが、電源スイッチ１０９をＯＮにすると、操作入力受付部１２が電源ＯＮを受け付けて、伝送端末１０の電源をＯＮにするようになっている。
【００７５】
ログイン要求部１３は、ＣＰＵ１０１等によって構成される。電源ＯＮの受け付けを契機として、送受信部１１から伝送ネットワーク２を介して伝送管理装置５０に、ログインを要求する旨を示すログイン要求情報及び現時点の自端末のＩＰアドレスを送信するようになっている。
【００７６】
また、ユーザが電源スイッチ１０９をＯＮの状態からＯＦＦの状態にすると、送受信部１１が伝送管理装置５０に電源をＯＦＦする旨の状態情報を送信した後に、操作入力受付部１２が伝送端末１０の電源を完全にＯＦＦにするようになっている。これにより、伝送管理装置５０側では、伝送端末１０が電源ＯＮから電源ＯＦＦになったことを把握することができる。
【００７７】
撮像部１４は、ＣＰＵ１０１、カメラ１１２及び撮像素子Ｉ／Ｆ１１３等によって構成され、被写体を撮像し、撮像して得られた画像データを送受信部１１に出力するようになっている。
【００７８】
音入力部１５ａは、ＣＰＵ１０１及び音入出力Ｉ／Ｆ１１６等によって構成され、マイク１１４によって集音されて得られた音を表す音信号が入力され、入力された音信号を音声データに変換するようになっている。
【００７９】
音出力部１５ｂは、ＣＰＵ１０１及び音入出力Ｉ／Ｆ１１６等によって構成され、音声データを音信号に変換し、変換した音信号をスピーカ１１５に出力することにより、スピーカ１１５に音を出力させるようになっている。
【００８０】
表示制御部１７は、ＣＰＵ１０１及びディスプレイＩ／Ｆ１１７等によって構成される。表示制御部１７は、送受信部１１に受信された解像度の異なる画像データを組み合わせ、組み合わせた画像データをディスプレイ１２０に送信することにより、画像データが表す画像をディスプレイ１２０に表示させるようになっている（全画面表示モード）。また、他の拠点の詳細な情報を表示することができる（情報表示モード）。
【００８１】
表示制御部１７は補助領域表示部１８ａ及び拠点リスト表示部１８ｂを有している。補助領域表示部１８ａは、伝送端末１０が後述する全画面表示モードの場合に、全画面表示画面５０１の補助領域に会議に参加している拠点数や録画通知情報（記録通知情報）などを表示する。拠点リスト表示部１８ｂは、伝送端末１０が後述する情報表示モードの場合に、情報表示画面６０１に会議に参加している拠点の名称、通信ＩＤ、及び、録画中管理テーブル１０００ｂを参照し録画拠点マーク７１などを表示する。
【００８２】
宛先リスト表示部１６は、伝送管理装置５０から送信される宛先状態情報に基づき宛先リスト画面をディスプレイ１２０に表示する。宛先状態情報には録画会議中か否かの稼動状態が含まれ、宛先リスト画面には宛先の伝送端末１０及び情報処理端末４０ごとに会議中か否かが表示される。
【００８３】
記憶・読出処理部１９は、ＣＰＵ１０１及びＳＳＤ１０５等によって構成され、記憶部１０００に各種データを記憶したり、記憶部１０００に記憶された各種データを読み出したりするようになっている。
【００８４】
記憶部１０００には、伝送端末１０を通信先（他の拠点から見て）として識別するための通信ＩＤ及びパスワード等が記憶されている。更に、記憶部１０００は、宛先端末とビデオ会議を行う際に受信される画像データ及び音声データの受信バッファとしても用いられる。なお、本実施形態の通信ＩＤは、伝送端末１０を一意に識別するために使われる言語、文字、記号又は各種の標し等の情報を示す。また、通信ＩＤは、言語、文字、記号及び各種の標しのうち、少なくとも２つが組み合わされた情報であってもよい。
【００８５】
＜伝送管理装置５０の機能構成＞
伝送管理装置５０は、送受信部５１、端末認証部５２、状態管理部５３、端末抽出部５４、端末状態取得部５５、セッション管理部５６、及び記憶・読出処理部５９を有している。これら各部は、図５に示したＨＤ２０４からＲＡＭ２０３上に展開された伝送管理プログラム５０００ａを実行するＣＰＵ２０１によって実現される機能である。また、伝送管理装置５０は、ＨＤ２０４により構成される記憶部５０００を有している。以下、記憶部５０００に記憶されたデータベースについて説明する。
【００８６】
【表２】
2020171030.tif 000004
記憶部５０００には、表２に示すような端末認証管理テーブルを有する端末認証管理ＤＢ５００１が構築されている。端末認証管理テーブルでは、伝送管理装置５０によって管理される全ての伝送端末１０の各通信ＩＤに対して、各パスワードが関連付けられて管理される。例えば、表１に示した端末認証管理テーブルは、伝送端末１０ａａの通信ＩＤが「０１ａａ」で、パスワードが「ａａａａ」であることを示している。
【００８７】
【表３】
2020171030.tif 000005
また、記憶部５０００には、表３に示すような端末管理テーブルを有する端末管理ＤＢ５００２が構築されている。端末管理テーブルでは、各伝送端末１０の通信ＩＤ毎に、各伝送端末１０又は情報処理端末４０の端末名と、各伝送端末１０の稼動状態と、伝送端末１０のＩＰアドレスとが関連付けられて管理されている。端末名は、予め通信ＩＤと対応づけて伝送管理装置５０に登録されており、通信ＩＤが分かると端末名が判明する。
【００８８】
例えば、表３（ａ）に示した端末管理テーブルは、通信ＩＤが「０１ａａ」の伝送端末１０ａａに対して、端末名が「日本  東京事業所  ＡＡ端末」で、稼動状態が「オンライン（伝送中）」で、伝送端末１０ａａのＩＰアドレスが「１．２．１．３」であることを表している。
【００８９】
なお、表３（ａ）の端末管理テーブルは、通信ＩＤが０１ａａの伝送端末１０ａａ、通信ＩＤが０１ｂａの伝送端末１０ｂａ、及び、通信ＩＤが０４ｂｄの情報処理端末４０ｂｄが会議に参加中となった状態を示している（オンライン（伝送中））。これよりも前の稼動状態としてオンライン（伝送可能）となる状態がある。
【００９０】
また、表３（ｂ）は録画会議中の情報処理端末４０が会議に参加している場合の端末管理テーブルを示す。通信ＩＤが「０４ｄｂ」の情報処理端末４０ｄｂに対し、稼動状態が「録画会議中」となっている。この稼動状態が「録画会議中」であることが、情報処理端末４０ｂｄが録画中であることを表している。通信ＩＤが「０１ａａ」「０１ｂａ」の稼動状態も「録画会議中」である。これは、情報処理端末４０と同じ会議に参加している伝送端末１０及び情報処理端末４０の稼動状態も「録画会議中」に変更されるためである（伝送端末１０及び情報処理端末４０が実際に録画していなくても）。
【００９１】
ここで、端末管理テーブルの通信ＩＤは、伝送端末１０及び情報処理端末４０が伝送システム１に登録される際にユニークに割り当てられ、端末名は、伝送管理装置５０の管理者によって登録又は変更される。なお、端末名は、伝送端末１０から伝送管理装置５０に対してなされる要求に応じて、登録又は変更されてもよい。すなわち、通信ＩＤと端末名は予め登録されているものとして説明する。
【００９２】
また、稼動状態が「オンライン（伝送可能）」とは、伝送端末１０が伝送システム１にログインした状態で、ビデオ会議に参加していない状態であることを表す。「オンライン（伝送中）」とは、伝送端末１０が伝送システム１にログインした状態で、ビデオ会議に参加している状態（会議中という意味）であることを表す。稼動状態が「オフライン」とは、伝送端末１０が伝送システム１にログインしていない状態であることを表す。ビデオ会議に参加している又は会議中の伝送端末１０とは、稼動状態が「オンライン（伝送中）」の伝送端末１０である。
【００９３】
【表４】
2020171030.tif 000006
更に、記憶部５０００には、表４に示すような宛先リスト管理テーブルを有する宛先リスト管理ＤＢ５００３が構築されている。宛先リスト管理テーブルでは、ビデオ会議の開始を要求する要求元端末の通信ＩＤに対して、宛先端末の候補として登録されている宛先端末の通信ＩＤが全て関連付けられて管理されている。
【００９４】
例えば、通信ＩＤが「０１ａａ」である伝送端末１０ａａからビデオ会議の開始を要求できる宛先端末の候補は、通信ＩＤが「０１ａｂ」〜「０１ｄｃ」の伝送端末１０ａｂ〜１０ｄｃ及び通信ＩＤが「０４ｂｄ」「０４ｂｅ」である情報処理端末４０ｂｄ、ｂｅであることが示されている。宛先端末の通信ＩＤは、伝送端末１０又は情報処理端末４０から伝送管理装置５０に対してなされる要求に応じて、宛先となる伝送端末１０又は情報処理端末４０からの許可通知（承諾）が返送されると追加される。また、伝送端末１０又は情報処理端末４０から伝送管理装置５０に対して削除されることもできる。
【００９５】
【表５】
2020171030.tif 000007
また、記憶部５０００には、セッション管理テーブルによって構成されているセッション管理ＤＢ５００４が構築されている。このセッション管理テーブルでは、中継装置３０を選択するためのセッションの実行に用いられるセッションＩＤ毎に、画像データ及び音声データの中継に使用される中継装置３０の中継装置ＩＤ、要求元端末の通信ＩＤ、宛先端末の通信ＩＤ、及び、会議ＩＤ、が関連付けられて管理される。セッションＩＤはセッションを識別するためのＩＤであり同じ会議に参加する伝送端末１０が同じセッションに含まれるとは限らない。これに対し会議ＩＤは同じ会議に参加する伝送端末１０に同じものが付与される。
【００９６】
（ＵＩ提供装置のＵＲＩ）
更に、記憶部５０００には、ＵＩ提供装置２０のＵＲＩ(Uniform Resource Identifier)５００５が記憶されている。ＵＩ提供装置２０のＵＲＩ５００５は、伝送管理装置５０又はＵＩ提供装置２０の管理者などにより設定されている。
【００９７】
（録画中管理テーブル）
記憶部５０００には録画中管理テーブル５００６が記憶されている。伝送管理装置５０が保持する録画中管理テーブル５００６には、会議ごとに録画中の伝送端末１０及び情報処理端末４０の通信ＩＤが全て登録されている。
【００９８】
（伝送管理装置５０の各機能構成）
送受信部５１は、ＣＰＵ２０１及びネットワークＩ／図２８０９等によって構成され、伝送ネットワーク２を介して他の伝送端末１０又は中継装置３０、プログラム提供装置９０と各種データや情報の送受信を行うようになっている。
【００９９】
端末認証部５２は、ＣＰＵ１０１等によって構成され、送受信部５１を介して受信されたログイン要求情報に含まれている通信ＩＤ及びパスワードを検索キーとして、端末認証管理ＤＢ５００１を検索する。そして、端末認証管理ＤＢ５００１に同一の通信ＩＤ及びパスワードが管理されているかを判定することによって端末認証を行うようになっている。なお、認証方法はこれに限られず、クライアント証明書（公開鍵と秘密鍵を用いた認証方法）を用いてもよい。
【０１００】
状態管理部５３は、ＣＰＵ１０１等によって構成され、ログイン要求してきた要求元端末の稼動状態を管理する。すなわち、端末管理ＤＢ５００２に、要求元端末の通信ＩＤに対して、稼動状態、及びＩＰアドレスを関連付けて記憶して管理するようになっている。
【０１０１】
また、ユーザが伝送端末１０の電源スイッチ１０９の状態をＯＮからＯＦＦにする。状態管理部５３は、これにより、伝送端末１０から送られてきた、電源をＯＦＦする旨の状態情報に基づいて、端末管理ＤＢ５００２における伝送端末１０の稼動状態をオンラインからオフラインに変更するようになっている。また、状態管理部５３は定期的に（不定期でもよい）伝送端末１０及び情報処理端末４０の死活を監視するための通信を行う。
【０１０２】
端末抽出部５４は、ＣＰＵ１０１等によって構成され、ログイン要求した要求元端末の通信ＩＤを検索キーとして、宛先リスト管理ＤＢ５００３を検索し、要求元端末に対する宛先端末の候補の通信ＩＤを抽出するようになっている。
【０１０３】
また、端末抽出部５４は、ログイン要求してきた要求元端末の通信ＩＤを検索キーとして、宛先リスト管理ＤＢ５００３を検索し、要求元端末の通信ＩＤを宛先端末の候補として登録している他の要求元端末の通信ＩＤも抽出するようになっている。
【０１０４】
端末状態取得部５５は、ＣＰＵ１０１等によって構成され、端末抽出部５４によって抽出された宛先端末の候補の通信ＩＤを検索キーとして、端末管理ＤＢ５００２を検索し、検出された通信ＩＤ毎に稼動状態を読み出すようになっている。
【０１０５】
これにより、端末状態取得部５５は、ログイン要求してきた要求元端末に対する宛先端末の候補の稼動状態を取得することができる。また、端末状態取得部５５は、端末抽出部５４によって抽出された通信ＩＤを検索キーとして、端末管理ＤＢ５００２を検索し、ログイン要求してきた要求元端末の稼動状態も取得するようになっている。
【０１０６】
セッション管理部５６は、伝送端末１０と伝送端末１０、伝送端末１０と情報処理端末４０、又は、情報処理端末４０と情報処理端末４０の間でセッションが確立すると、セッション管理テーブルでセッションを管理する。すでにセッションが確立している伝送端末１０又は情報処理端末４０に対し別のセッションが確立した場合、セッション管理部５６は同じ会議ＩＤを付与するので、同じ会議に参加している伝送端末１０及び情報処理端末４０が会議ＩＤで紐付けられる。
【０１０７】
記憶・読出処理部５９は、ＣＰＵ１０１及びＨＤＤ２０５等によって構成され、記憶部５０００に各種データを記憶したり、記憶部５０００に記憶された各種データを読み出したりするようになっている。
【０１０８】
<<ＵＩ提供装置の各機能構成>>
ＵＩ提供装置２０は、送受信部８１、サーバ部８２及び記憶・読出処理部８９を有している。これら各部は、ＨＤ２０４からＲＡＭ２０３上に展開されたＵＩ提供装置用プログラム２０００ａを実行するＣＰＵ２０１によって実現される機能である。また、伝送管理装置５０は、ＨＤ２０４により構成される記憶部２０００を有している。記憶部２０００にはレイアウト情報lotが記憶されている。
【０１０９】
（ＵＩ提供装置の各機能構成）
送受信部８１は、ＣＰＵ２０１及びネットワークＩ／図２８０９等によって構成され、伝送ネットワーク２を介して伝送端末１０と各種データや情報の送受信を行うようになっている。
【０１１０】
サーバ部８２は、ＣＰＵ１０１等によって構成され、伝送端末１０からレイアウト情報要求信号を取得し、記憶・読出処理部２９が記憶部２０００から読み出したレイアウト情報lotを、送受信部８１を介して伝送端末１０に送信する。
【０１１１】
記憶・読出処理部８９は、ＣＰＵ１０１等によって構成され、記憶部２０００に各種データを記憶したり、記憶部２０００に記憶された各種データを読み出したりするようになっている。記憶部２０００は、ＲＯＭ２０２、ＲＡＭ２０３、ＨＤＤ２０５等によって構成され、主にＵＩ提供装置用プログラム２０００ａとレイアウト情報lotを記憶している。
【０１１２】
<<情報処理端末の機能構成>>
図７は、情報処理端末４０の機能ブロック図の一例である。情報処理端末４０の機能については伝送端末１０との相違を主に説明する。情報処理端末４０の機能は伝送端末１０と同様であるが、情報処理端末４０は画像録画部４１を有する点が伝送端末１０と異なっている。情報処理端末４０が有する各機能は、図４に示したフラッシュメモリ１０４からＲＡＭ１０３上に展開された情報処理端末用プログラム１０００ｃを実行するＣＰＵ１０１によって実現される機能である。また、情報処理端末４０は記憶部１０００に、情報処理端末用プログラム１０００ｃ及び録画データ１０００ｄを記憶している。
【０１１３】
画像録画部４１は、ディスプレイ１２０に表示される画像データ及び音声データを録画データ１０００ｄとして記録する。録画データは、表示制御部１７がディスプレイ１２０に表示した全画面表示画面５０１や情報表示画面６０１が録画されたデータである。全画面表示画面５０１や情報表示画面６０１に限らず、ディスプレイ１２０に表示された画面は保存することが可能である。また、音出力部１５ｂがスピーカ１１５から出力した音声データも録音（記録）することが可能である。本実施形態では、画像録画部４１が録画することで音声データも録音されているものとする。一方、画像録画部４１は、画像データのみ又は音声データのみを記録することが可能である。
【０１１４】
なお、本実施形態では情報処理端末４０が録画する機能を有し、伝送端末１０が録画する機能を有していないが、これは説明のための区別に過ぎず、伝送端末１０が録画する機能を有することも可能である。
【０１１５】
また、録画データ１０００ｄを記憶部１０００でなくネットワーク上のＮＡＳ（Network Attached Storage）などに記憶してもよい。
【０１１６】
＜実施形態の処理又は動作＞
次に、本実施形態に係る伝送システム１の動作について説明する。図８は、伝送端末１０がビデオ会議に参加する準備状態になるまでの準備段階動作を示すシーケンス図である。なお、図８は、伝送端末１０ａａが準備状態になる例が示されている。準備段階動作においては、管理情報用セッションｓｅｉで各種情報が送受信される。また、情報処理端末４０がビデオ会議に参加する処理も伝送端末１０と同様である。
【０１１７】
まず、伝送端末１０ａａのユーザが、伝送端末１０ａａの電源スイッチ１０９をＯＮにすると、操作入力受付部１２が電源ＯＮを受け付けて、電源をＯＮにする（ステップＳ２１）。そして、ログイン要求部１３は、電源ＯＮの受け付けを契機とし、伝送端末１０ａａの送受信部１１から伝送ネットワーク２を介して伝送管理装置５０にログイン要求を表すログイン要求情報を送信する（ステップＳ２２）。
【０１１８】
ログイン要求情報には、ログイン要求元の伝送端末１０ａａを識別するための通信ＩＤ及びパスワードが含まれている。これら通信ＩＤ及びパスワードは、記憶・読出処理部１９によって記憶部１０００から読み出される。
【０１１９】
なお、伝送端末１０ａａから送信されたログイン要求情報が伝送管理装置５０に受信された際には、伝送管理装置５０は、送信側である伝送端末１０ａａのＩＰアドレスを把握することができる。
【０１２０】
次に、伝送管理装置５０の端末認証部５２は、送受信部５１を介して受信したログイン要求情報に含まれている通信ＩＤ及びパスワードを検索キーとして、記憶部５０００の端末認証管理ＤＢ５００１を検索する。そして、端末認証管理ＤＢ５００１に検索キーと同一の通信ＩＤ及びパスワードが管理されているかを判定することによって端末認証を行う（ステップＳ２３）。
【０１２１】
ここで、端末認証部５２によって、検索キーと同一の通信ＩＤ及びパスワードが管理されていないと判定された場合、すなわち、正当な利用権限を有する伝送端末１０からのログイン要求でないと判定された場合がある。この場合、送受信部５１は、端末認証部５２によって得られた認証結果を表す認証結果情報をログイン要求してきた伝送端末１０ａａに伝送ネットワーク２を介して送信し、準備段階の動作は終了することとなる。
【０１２２】
一方、端末認証部５２によって、検索キーと同一の通信ＩＤ及びパスワードが管理されていると判定された場合、すなわち、正当な利用権限を有する伝送端末１０からのログイン要求であると判定された場合がある。この場合、状態管理部５３は、端末管理ＤＢ５００２に、伝送端末１０ａａの通信ＩＤ、稼動状態、及び伝送端末１０ａａのＩＰアドレスを関連付けて記憶する（ステップＳ２４）。
【０１２３】
これにより、端末管理テーブルは、通信ＩＤ「０１ａａ」、稼動状態「オンライン（伝送可能）」、及び伝送端末１０ａａのＩＰアドレス「１．２．１．３」を関連付けて管理することになる。
【０１２４】
次に、伝送管理装置５０の送受信部５１は、端末認証部５２によって得られた認証結果を表す認証結果情報をログイン要求してきた伝送端末１０ａａに伝送ネットワーク２を介して送信する（ステップＳ２５）。また、伝送管理装置５０は、認証結果情報と共に又は前後して、ＵＩ提供装置２０のＵＲＩ５００５を伝送端末１０に送信する。これにより、伝送端末１０はＵＩ提供装置２０にアクセスできるようになる。
【０１２５】
このＵＩ提供装置２０のＵＲＩ５００５は伝送ネットワーク２におけるレイアウト情報lotの保存場所を示す。例えば「ＩＰアドレス（又はドメイン名）＋フォルダ名＋ファイル名」のような形式を有するが、ＵＩ提供装置２０にアクセス可能であればよい。
【０１２６】
ＵＲＩ５００５を各伝送端末１０が保持しないことによって、ＵＩ提供装置２０が置き換えられたり、ＵＲＩが変更になったりしても、伝送管理装置５０の管理者が伝送管理装置５０に記憶しているＵＲＩを変更するだけでよい。すなわち、全ての伝送端末１０に対する変更が必要でなくなるため、管理の負荷を低減できる。
【０１２７】
次に、伝送管理装置５０の端末抽出部５４は、ログイン要求してきた伝送端末１０ａａの通信ＩＤ「０１ａａ」を検索キーとして、宛先リスト管理ＤＢ５００３を検索し、伝送端末１０ａａに対する宛先端末の候補の通信ＩＤを抽出する（ステップＳ２６）。
【０１２８】
ここでは、伝送端末１０ａａの通信ＩＤ「０１ａａ」に対する宛先端末として通信ＩＤが「01ab、01ac、01ba、01bb、01bc、04bd、04be、01ca、01cb、01ca、01da、01db、01dc」が抽出されることになる。
【０１２９】
次に、伝送管理装置５０の端末状態取得部５５は、端末抽出部５４によって抽出された宛先端末の候補の通信ＩＤ「01ab、01ac、01ba、01bb、01bc、04bd、04be、01ca、01cb、01ca、01da、01db、01dc」を検索キーとして、端末管理ＤＢ５００２を検索する。そして、端末抽出部５４によって抽出された通信ＩＤ毎に稼動状態「オフライン」、「オンライン（伝送可能）」、「オンライン（伝送中）」「録画会議中」を読み出すことにより、伝送端末１０と情報処理端末４０の各稼動状態を取得する（ステップＳ２７）。
【０１３０】
次に、伝送管理装置５０の送受信部５１は、ステップＳ２７で使用された検索キーである通信ＩＤ「01ab、01ac、01ba、01bb、01bc、04bd、04be、01ca、01cb、01ca、01da、01db、01dc」と、各伝送端末１０及び情報処理端末４０の稼動状態「オフライン」、「オンライン（伝送可能）」、「オンライン（伝送中）」「録画会議中」を宛先状態情報に含める。そして、伝送ネットワーク２を介して伝送端末１０ａａに送信する（ステップＳ２８）。
【０１３１】
これにより、伝送端末１０ａａは、宛先端末の候補である伝送端末１０ａｂ、１０ａｃ、１０ｂａ、１０ｂｂ、１０ｂｃ、１０ｃａ、１０ｃｂ、１０ｃａ、１０ｄａ、１０ｄｂ、１０ｄｃ、情報処理端末４０ｂｄ、４０ｂｅの現時点のそれぞれの稼動状態「オフライン」、「オンライン（伝送可能）」、「オンライン（伝送中）」「録画会議中」を把握することができる。
【０１３２】
更に、伝送管理装置５０の端末抽出部５４は、ログイン要求してきた伝送端末１０ａａの通信ＩＤ「０１ａａ」を検索キーとして、宛先リスト管理ＤＢ５００３を検索する。そして、伝送端末１０ａａの通信ＩＤ「０１ａａ」を宛先端末の候補として登録している他の伝送端末の通信ＩＤを抽出する（ステップＳ２９）。表４の宛先リスト管理テーブルによれば、「０１ｂａ」、「０１ｃａ」「０４ｂｄ」が抽出される。
【０１３３】
次に、伝送管理装置５０の状態管理部５３は、ログイン要求して来た伝送端末１０ａａの通信ＩＤ「０１ａａ」を検索キーとして、端末管理ＤＢ５００２を検索する。そして、ログイン要求してきた伝送端末１０ａａの稼動状態「オンライン（伝送可能）」（ログイン直後はオンライン（伝送可能）である）を取得する（ステップＳ３０）。
【０１３４】
次に、伝送管理装置５０の送受信部５１は、ステップＳ２９で抽出された通信ＩＤ「０１ｂａ」、「０１ｃａ」「０４ｂｄ」で識別されるそれぞれの伝送端末１０ｂａ、１０ｃａ、及び情報処理端末４０ｄｂのうち、端末管理ＤＢ５００２で稼動状態が「オンライン」となっている伝送端末１０ｂａと情報処理端末４０ｂｄを特定する。オンラインでなければ宛先状態情報を受け取れないためである。そして、ステップＳ３０で取得された伝送端末１０ａａの通信ＩＤ「０１ａａ」と稼動状態「オンライン（伝送可能）」とが含まれる宛先状態情報を送信する（ステップＳ３１−１、３１−２）。
【０１３５】
伝送端末１０ａａの宛先リスト表示部１６は、ステップＳ２８で受信した宛先状態情報を用いて、宛先リスト画面をディスプレイ１２０ａａに表示させる（Ｓ３２）。宛先リスト画面を図１１に示す。
【０１３６】
なお、伝送端末１０ｂａ、情報処理端末４０ｂｄに宛先状態情報を送信する際には、送受信部５１は、各通信ＩＤ「０１ｂａ」、「０４ｂｄ」に基づいて、端末管理テーブルで管理されている伝送端末のＩＰアドレスを参照する。
【０１３７】
これにより、ログイン要求してきた伝送端末１０ａａを宛先として伝送することができる伝送端末１０ｄｂ、情報処理端末４０ｂｄに、ログイン要求してきた伝送端末１０ａａの通信ＩＤ「０１ａａ」及び稼動状態「オンライン（伝送可能）」を伝えることができる。
【０１３８】
また、準備段階動作のステップＳ２８が完了した際に、伝送端末１０ａａの表示制御部１７は、ディスプレイ１２０に表示させた宛先リスト画面から、ビデオ会議に参加中の端末をディスプレイ１２０に強調表示させる。すなわち、稼動状態が「オンライン（伝送中）」や「オンライン（伝送可能）」である伝送端末１０ｂａ、情報処理端末４０ｂｄの情報をディスプレイ１２０に強調表示させる等して、ビデオ会議に参加している伝送端末１０又は参加可能な伝送端末１０をユーザに認識させることができる。
【０１３９】
図９は、伝送端末１０がビデオ会議に参加する参加状態になるまでの会議参加動作を示すシーケンス図である。なお、図９は、伝送端末１０ａａが情報処理端末４０ｂｄとビデオ会議を行う例が示されている。会議参加動作においては、管理情報用セッションｓｅｉで各種情報が送受信される。
【０１４０】
まず、ユーザが操作ボタン１０８を押下して例えば情報処理端末４０ｂｄを選択することでビデオ会議の参加を選択すると、操作入力受付部１２は、情報処理端末４０ｂｄとビデオ会議に参加する旨の要求を受け付ける（ステップＳ４１）。なお、伝送端末１０ａａが情報処理端末４０の場合、操作ボタン１０８の代わりに、情報処理端末４０のハードキーやタッチパネルに表示されたソフトキーの押下により、ビデオ会議を参加する旨の要求を受け付ける。
【０１４１】
この要求に応じて、伝送端末１０ａａの送受信部１１は、伝送端末１０ａａの通信ＩＤ「０１ａａ」及び情報処理端末４０ｂｄの通信ＩＤ「０４ｂｄ」が含まれ、ビデオ会議に参加する旨を表す参加要求情報を伝送管理装置５０に送信する（ステップＳ４２）。
【０１４２】
これにより、伝送管理装置５０の送受信部５１は、参加要求情報を受信すると共に、送信元である伝送端末１０ａａのＩＰアドレス「１．２．１．３」を確認することができる。
【０１４３】
次に、伝送管理装置５０の状態管理部５３は、参加要求情報に含まれる伝送端末１０ａａの通信ＩＤ「０１ａａ」を検索キーとする。そして、端末管理ＤＢ５００２を検索し、参加要求してきた伝送端末１０ａａの稼動状態を「オンライン（伝送中）」に設定する（ステップＳ４３）。これにより、表３（ａ）に示すように端末管理テーブルの稼動状態が更新される。
【０１４４】
次に、伝送管理装置５０の送受信部５１は、伝送ネットワーク２を介して伝送端末１０ａａの通信ＩＤ「０１ａａ」が含まれる開始要求情報を情報処理端末４０ｂｄに送信する（ステップＳ４４）。これにより、情報処理端末４０ｂｄは、どの伝送端末１０からビデオ会議に参加したいとの要求があったのかを把握することができる。
【０１４５】
次に、情報処理端末４０ｂｄは、送受信部１１から伝送ネットワーク２を介して伝送管理装置５０に開始要求情報の受信が完了した旨を示す受信完了情報を送信する（ステップＳ４５）。セッション管理部５６は、要求元である伝送端末１０ａａと宛先端末である情報処理端末４０ｂｄとの間のセッションに重複しないセッションＩＤを付与する（採番する）。また、重複しない会議ＩＤを採番してセッション管理テーブルにセッションＩＤ、中継装置ＩＤ、要求元通信ＩＤ、宛先通信ＩＤ及び会議ＩＤを登録する。
【０１４６】
次に、伝送管理装置５０の送受信部５１は、伝送ネットワーク２を介して中継装置３０に中継を開始する旨の要求を表す中継開始要求情報を送信する（ステップＳ４６）。中継開始要求情報には、伝送端末１０ａａ及び情報処理端末４０ｂｄの各ＩＰアドレス「１．２．１．３」、「１．３．１．３」、セッションＩＤ及び会議ＩＤが含まれている。
【０１４７】
これにより、中継装置３０は、伝送端末１０ａａ、情報処理端末４０ｂｄの間で、低解像度、中解像度及び高解像度の３つ画像データ、並びに、音声データを伝送するためのセッションを確立する（ステップＳ４７）。このように、伝送端末１０ａａは、情報処理端末４０ｂｄとのビデオ会議に参加することができるようになる。
【０１４８】
また、図９と同様の処理により同じセッションで通信する伝送端末１０又は情報処理端末４０に対する開始要求が伝送管理装置５０に送信された場合、伝送管理装置５０のセッション管理部５６はセッションを開始している伝送端末１０及び情報処理端末４０の会議ＩＤを付与する。従って、セッションＩＤが変わっても同じ会議に参加する伝送端末１０又は情報処理端末４０には同じ会議ＩＤが付与される。中継装置３０は同じ会議ＩＤに対応付けられた伝送端末１０又は情報処理端末４０に対し画像データ及び音声データを転送する。
【０１４９】
一方で、伝送管理装置５０の送受信部５１は、伝送端末１０ａａの通信ＩＤ「０１ａａ」と稼動状態「オンライン（伝送中）」とが含まれる端末状態変更情報（稼動状態の変更情報）を、端末管理ＤＢ５００２に登録されている各伝送端末１０に送信する（ステップＳ４８）。これにより、端末状態変更情報を受信した各伝送端末は、必要に応じて、通信ＩＤ「０１ａａ」の伝送端末１０ａａの稼動状態を記憶及び表示することができる。
【０１５０】
セッションが確立することで、伝送端末１０ａａは、情報処理端末４０ｂｄから送信された画像データを表示し音声データを出力できる。情報処理端末４０ｂｄは、伝送端末１０ａａから送信された画像データを表示し音声データを出力できる。ビデオ会議に参加している伝送端末１０が３つ以上であっても画像データ及び音声データは、２台の場合と同様に伝送される。あるいは、２台の場合には中継装置３０を介さず、３台以上の場合に中継装置３０を介する通信プロトコルで画像データ及び音声データが伝送されてもよい。
【０１５１】
＜録画に関する動作＞
図１０を用いて情報処理端末４０が録画を行った場合の動作について説明する。図１０は、情報処理端末４０ｂｄが録画を開始したり終了したりした場合の動作を示すシーケンス図の一例である。
【０１５２】
S1：ビデオ会議中の情報処理端末４０ｂｄのユーザ（会議の参加者）が画像データの録画を行う操作を行う。情報処理端末４０ｂｄの操作入力受付部１２はこの操作を受け付ける。まず、情報処理端末４０ｂｄの送受信部１１は情報処理端末４０ｂｄの通信ＩＤ（０４ｂｄ）と共に録画開始通知を伝送管理装置５０に送信する。
【０１５３】
S2：伝送管理装置５０の送受信部５１は録画開始通知を受信する。これにより、状態管理部５３は端末管理テーブルの情報処理端末４０ｂｄの通信ＩＤ（０４ｂｄ）に対応付けられている稼動状態を「録画会議中」に設定する。
【０１５４】
また、状態管理部５３は、情報処理端末４０ｂｄとビデオ会議を行っている全ての伝送端末１０及び情報処理端末４０の稼動状態を「録画会議中」に設定する。これは、同じ会議に参加する全ての伝送端末１０及び情報処理端末４０の参加者や資料などが録画されるおそれがあり、これから伝送端末１０ａａと情報処理端末４０ｂｄのビデオ会議に参加する伝送端末１０及び情報処理端末４０の参加者に、画像データや音声データが録画されている会議に宛先端末が参加中であることを知らせるためである。
【０１５５】
情報処理端末４０ｂｄとビデオ会議を行っている伝送端末１０及び情報処理端末４０は、セッション管理テーブルに登録されている。端末抽出部５４は、セッション管理テーブルにおいて情報処理端末４０ｂｄの通信ＩＤ（０４ｂｄ）に対応付けられている会議ＩＤを抽出し、更にこの会議ＩＤに対応付けられている通信ＩＤを全て取得する。表５のセッション管理テーブルでは、情報処理端末４０ｂｄと同じ会議に参加しているのは、通信ＩＤが０１ａａの伝送端末１０ａａ、１０ｂａである。従って、状態管理部５３は、情報処理端末４０ｂｄ、伝送端末１０ａａ、１０ｂａの稼動状態を「録画会議中」に設定する。
【０１５６】
なお、状態管理部５３は録画中管理テーブル５００６に情報処理端末４０ｂｄの通信ＩＤ（０４ｂｄ）を登録しておく。伝送端末１０ａａ、１０ｂａの通信ＩＤは登録しなくてよい（録画していないため）。
【０１５７】
S3：伝送管理装置５０の送受信部５１は、情報処理端末４０ｂｄとビデオ会議を行っている伝送端末１０及び情報処理端末４０に録画開始通知を送信する。情報処理端末４０ｂｄとビデオ会議を行っている伝送端末１０及び情報処理端末４０の判定方法はステップＳ２と同様である。情報処理端末４０ｂｄ、伝送端末１０ａａ、１０ｂａが特定されるが、図１０では伝送端末１０ｂａが省略されているため、伝送管理装置５０の送受信部５１はこの伝送端末１０ａａに録画開始通知を送信する。
【０１５８】
S4：伝送端末１０ａａの送受信部１１は録画開始通知を受信して、表示制御部１７が録画通知表示を行う。詳細は図１７にて説明する。
【０１５９】
S5：情報処理端末４０ｂｄの画像録画部４１は、操作入力受付部１２が録画開始の操作を受け付けることで、画像データと音声データの記録を開始する。
【０１６０】
S6：続いて、情報処理端末４０ｂｄのユーザ（会議の参加者）が画像データの録画を終了する操作を行う。情報処理端末４０ｂｄの操作入力受付部１２はこの操作を受け付ける。なお、情報処理端末４０ｂｄの画像録画部４１は、操作入力受付部１２が録画終了の操作を受け付けることで、画像データと音声データの記録を終了する。
【０１６１】
S7：情報処理端末４０ｂｄの送受信部１１は情報処理端末４０ｂｄの通信ＩＤ（０４ｂｄ）と共に録画終了通知（記録終了通知の一例）を伝送管理装置５０に送信する。
【０１６２】
S8：伝送管理装置５０の送受信部５１は録画終了通知を受信する。状態管理部５３は録画中管理テーブル５００６から情報処理端末４０ｂｄの通信ＩＤ（０４ｂｄ）を削除する。そして、録画中管理テーブル５００６に１つも通信ＩＤがない場合、端末管理テーブルの「録画会議中」を「オンライン（伝送中）」に設定する。こうすることで、１つでも録画中の伝送端末１０又は情報処理端末４０が残っている場合、会議に参加している全ての伝送端末１０又は情報処理端末４０の稼動状態を「録画会議中」にしたままにできる。
【０１６３】
S9：伝送管理装置５０の送受信部５１は、情報処理端末４０ｂｄとビデオ会議を行っている伝送端末１０及び情報処理端末４０に録画終了通知を送信する。従って、録画終了通知は伝送端末１０ａａに送信される（図１０では伝送端末１０ｂａが省略されている）。
【０１６４】
S10：伝送端末１０ａａの送受信部１１は録画終了通知を受信して、表示制御部１７が録画通知を非表示にする。詳細は図１７にて説明する。
【０１６５】
なお、ユーザが録画を終了する操作をした場合に録画終了通知が送信されるが、この他、録画を終了する間接的な操作（例えば、情報処理端末４０ｂｄの電源がＯＦＦにされる）が行われた場合に録画終了通知が送信されてもよい。
【０１６６】
また、伝送管理装置５０を介することなく、情報処理端末４０ｂｄが伝送端末１０ａａに直接、録画開始通知及び録画終了通知を送信してもよい。また、録画開始通知は録画の開始時に通知されるが、録画開始後の録画開始中に録画中通知のような通知が定期的又は不定期に通知されてもよい。
【０１６７】
＜表示例＞
伝送端末１０がディスプレイ１２０に表示する画面について説明する。
【０１６８】
<<宛先リスト画面>>
図１１は、図８のステップＳ３２で表示される宛先リスト画面の一例を示す。宛先リスト画面には、ステップＳ２８で送信された宛先状態情報に基づき稼動状態と端末名が表示される。ここでは説明の便宜上、表３（ｂ）の端末管理テーブルに基づいて伝送端末１０ａａが表示する宛先リスト画面を説明する。なお、図８のステップＳ２８では伝送端末１０ａａがこれからビデオ会議に参加するため表３（ｂ）の端末管理テーブルは処理内容と整合しない。図１１は端末管理テーブルに基づいて宛先リスト画面が作成されることを説明するための図である。
【０１６９】
宛先リスト管理テーブルで伝送端末１０ａａの宛先端末の通信ＩＤは「01ab、01ac、01ba、01bb、01bc、04bd、04be、01ca、01cb、01ca、01da、01db、01dc」である。このうち、録画会議中なのは通信ＩＤが04bdの情報処理端末４０ｂｄ、通信ＩＤが０１ｂａの伝送端末１０ｂａなので、宛先リスト表示部１６は通信ＩＤが04bdと01baの稼動状態に録画拠点マーク７１を表示する。その他の伝送端末１０及び情報処理端末４０はオフラインなので、宛先リスト表示部１６は稼動状態にオフラインマークを表示する。
【０１７０】
このように、宛先候補の１つ１つが稼動状態（録画拠点マーク７１）を表示するので、これから参加しようとするユーザはビデオ会議に参加することで、自分や自分の資料が録画されてしまうことを把握できる。その結果、参加しないなどの判断が可能になる。
【０１７１】
図１２は、ユーザが録画拠点マーク７１の宛先を選択した場合に表示される確認ダイアログ画面５１０を説明する図の一例である。録画拠点マーク７１が表示された宛先をユーザが選択すると、操作入力受付部１２が選択を受け付ける。録画拠点マーク７１が表示されている宛先が選択されると、宛先リスト表示部１６は確認ダイアログ画面５１０を表示させる。
【０１７２】
確認ダイアログ画面５１０には、「録画実行中の会議に参加します。よろしいでしょうか？」というメッセージ５１１、ＯＫボタン５１２及びキャンセルボタン５１３が表示される。ユーザがＯＫボタン５１２を押下すると、図９のステップＳ４１の開始要求情報が送信され、ユーザがキャンセルボタン５１３を押下すると、開始要求情報が送信されない。従って、ユーザは事前に確認してから録画中のビデオ会議に参加することができる。
【０１７３】
<<会議中の画面>>
本実施形態において、表示制御部１７は、全画面表示モードと情報表示モードとの２つの表示モードを有する。
【０１７４】
図１３は全画面表示モードでディスプレイ１２０に表示された画面例を示す図である。この画面を全画面表示画面５０１という。全画面表示モードは、図９のステップＳ４７でセッションが確立し、画像データと音声データの送信又は受信が開始されることで表示される。すなわち、２つの表示モードのうち、ビデオ会議の間、主に使用される表示モードである。
【０１７５】
全画面表示モードにおいて、伝送端末１０の表示制御部１７は、ビデオ会議に参加している各伝送端末１０から送信された全ての画像をディスプレイ１２０に表示させる。全ての画像を表示することで１つの画像領域が小さくなってしまう場合、予め定められた上限値（最大値）の画像が表示される。
【０１７６】
図１３に示す全画面表示画面５０１には、比較的広い１つの第１画像領域５０２と、比較的狭い複数の第２画像領域５０３とが割り当てられている。例えば、各第２画像領域５０３には、ビデオ会議に参加している各伝送端末１０から送信された画像データが表す画像が表示され、第１画像領域５０２には、ビデオ会議に参加している伝送端末１０及び情報処理端末４０の中から主要な伝送端末１０又は情報処理端末４０の画像データが表す画像が表示される。
【０１７７】
表示制御部１７は、例えば、ビデオ会議に参加している伝送端末１０のなかで、受信した音声データの中で発話がある伝送端末を主要な端末として特定する。また、発話がある伝送端末１０が、音量が大きい順にソートされる。表示制御部１７はこの順に第１画像領域５０２に画像を割り当てて表示する。
【０１７８】
なお、図１３に示す全画面表示画面５０１は一例に過ぎず、全画面表示モードでは、複数の全ての画像領域を同じサイズにして各画像を表示することや、上記の主要な端末の画像のみをディスプレイ１２０の全体に表示することなどが可能である。
【０１７９】
そして、全画面表示画面５０１は、補助領域１７３を有する。補助領域表示部１８ａは、全画面表示モードでは補助領域１７３を表示することができる。図１３では、補助領域１７３は、全画面表示画面５０１の上部の帯状の余白部分であるが、右端、左端、下部の帯状の余白部分などでもよいし、画像と重複して表示されてもよい。
【０１８０】
補助領域１７３は、第１領域ar1〜第６領域ar6に区分されている。
第１領域ar1…自端末の通信ＩＤが表示される。この伝送端末１０と同じビデオ会議に参加しようとする伝送端末１０のユーザは、この通信ＩＤを問い合わせ操作している伝送端末１０に入力又は選択することでビデオ会議に参加できる。
第２領域ar2…拠点数が表示される。
第３領域ar3…セッションが確立してからの会議時間が表示される。
第４領域ar4…任意の情報が表示される。
第５領域ar5…ネットワーク帯域情報（上り・下りそれぞれの通信速度）が表示される。
第６領域ar6…カーソルボタンが表示される。カーソルボタン１７３６は上の三角ボタン１７３６ｕと下の三角ボタン１７３６ｄを有しているが、上の三角ボタン１７３６ｕは黒色で下の三角ボタン１７３６ｄは白抜きである。上の三角ボタン１７３６ｕは操作可能であることを示しており、下の三角ボタン１７３６ｄは操作できないことを示している。上の三角ボタン１７３６ｕが操作されると、後述する簡易表示の補助領域１７３が表示される。
【０１８１】
なお、補助領域１７３は半透明で表示されることが好ましい。これにより、拠点間で送受信される画像データに補助領域１７３が重なっても視認性を維持しやすい。
【０１８２】
ここで、第６領域ar6のカーソルボタン１７３６は、簡易表示の補助領域１７３への切り替えが可能であることをユーザに知らせるアイコンとなっている。以下、図１３の補助領域を「標準の補助領域」と称して後述する「簡易表示の補助領域」と区別する。
【０１８３】
カーソルボタン１７３６は、いくつかある操作ボタン１０８のうち２つと対応している。対応している操作ボタン１０８は上下に揺動可能であることが好ましく、操作ボタン１０８の上方向の操作と上の三角ボタン１７３６ｕが、操作ボタン１０８の下方向の操作と下の三角ボタン１７３６ｄがそれぞれ対応している。
【０１８４】
また、補助領域表示部１８ａは、録画開始通知を受信すると、補助領域１７３を拡張して録画通知情報８０を表示する。録画通知情報８０も半透明で表示されることが好ましい。図１３では補助領域１７３の右下部分が拡張され、録画通知情報８０に他拠点録画マーク７２が表示されている。また、他拠点録画マーク７２の右に「他拠点録画中」という文字が記載されたラベル７３が表示される。他拠点録画マーク７２とラベル７３は少なくとも一方が表示されればよい。参加者は他拠点録画マーク７２又はラベル７３により、他の拠点で画像データが録画されていることを把握できる。図１０の処理から明らかなように、参加拠点のうち１拠点以上が録画している場合、補助領域表示部１８ａは録画通知情報８０を表示する。
【０１８５】
なお、図示された他拠点録画マーク７２は赤又はオレンジの円形であるが、他拠点録画マーク７２の外観（色、形、サイズなど）は、例えば、三角や四角などの多角形でもよいし、色も青やグリーンなどでもよい。また、サイズも図示するより小さくても大きくてもよい。また、録画通知情報８０の場所も、右下部分の他、左下部分、右上部分、左上部分、又は、補助領域１７３の中央部の上側や下側などでもよい。また、補助領域１７３にスペースがある場合、該スペースに他拠点録画マーク７２又はラベル７３の少なくとも一方が配置されてよい。
【０１８６】
図１４は、簡易表示の補助領域１７３の一例を示す図である。図１４では、図１３と拠点数は同じだが、第１領域ar1〜第６領域ar6の伝送状態の情報が簡易的に表示されている。簡易表示の補助領域１７３では、各領域に何が表示されているかの情報が表示されず、主に、第１領域ar1には通信ＩＤの値のみが、第２領域ar2には拠点数のみが、第３領域ar3には時刻のみが、第５領域ar5には帯域のみが表示される。
【０１８７】
第６領域ar6のカーソルボタン１７３６は、標準の補助領域１７３と表示形態が変わっている。簡易表示の補助領域１７３では、上の三角ボタン１７３６ｕも下の三角ボタン１７３６ｄも黒色である。ユーザは、上の三角ボタン１７３６ｕに対応する操作ボタン１０８も、下の三角ボタン１７３６ｄに対応する操作ボタン１０８も操作できる。
【０１８８】
カーソルボタン１７３６の操作により補助領域１７３の表示は以下のように制御される。
下の三角ボタン：標準の補助領域１７３へ切り替える。
上の三角ボタン：簡易表示の補助領域１７３を表示しない（標準の補助領域１７３も表示しない）。
【０１８９】
簡易表示の補助領域１７３では、標準の補助領域１７３よりもディスプレイ１２０を占める面積が少なくなるので、補助領域１７３に伝送状態の情報を表示しながら、画像データの視認性をよくすることができる。
【０１９０】
なお、簡易表示の補助領域１７３も、標準の補助領域１７３と同様に半透明で表示されることが好ましい。
【０１９１】
簡易表示の補助領域１７３において他拠点録画マーク７２又はラベル７３の表示態様は、標準の補助領域１７３と変わらない。一方、他拠点録画マーク７２又はラベル７３のいずれか一方を非表示にするなど、補助領域表示部１８ａが表示態様を変更してもよい。このように、標準の補助領域１７３と簡易表示の補助領域１７３で常に録画通知情報８０が表示されるので、参加者はリアルタイムに録画状況を把握できる。
【０１９２】
図１５は、補助領域１７３が表示されない場合の他拠点録画マーク７２及びラベル７３の表示例を示す図である。補助領域１７３が表示されない場合でも補助領域表示部１８ａは録画通知情報８０を表示する。すなわち、他拠点が録画中かどうかは重要な情報なので、補助領域表示部１８ａは補助領域１７３が表示されなくても録画通知情報８０を常に表示する。従って、参加者はリアルタイムに録画状況を把握できる。
【０１９３】
図１６は、参加拠点のうち録画している拠点がない場合の全画面表示画面５０１の一例を示す。なお、図１６では標準の補助領域１７３が表示されている場合を説明する。図１６に示すように、録画している拠点がなくなると、補助領域表示部１８ａは録画通知情報８０を非表示にする（消去する）。従って、参加者は録画している拠点がないことをリアルタイムに把握できる。なお、簡易表示の補助領域１７３の場合も同様であり録画通知情報８０が表示されない。補助領域１７３が表示されない場合も、録画通知情報８０が表示されない。
【０１９４】
<<会議中の録画通知情報の表示制御>>
図１７は、会議中の伝送端末１０ａａが録画通知情報８０の表示を制御する手順を示すフローチャート図の一例である。全画面表示画面５０１では常に録画通知情報８０が表示されるので、図１７の手順では補助領域は表示されていてもされていなくてもよい。
【０１９５】
まず、補助領域表示部１８ａは、録画開始通知又は録画終了通知を受信したか否かを判定する（Ｓ１０）。
【０１９６】
録画開始通知を受信した場合、補助領域表示部１８ａは録画中管理テーブル１０００ｂに、録画開始通知と共に送信された通信ＩＤを追加する（Ｓ２０）。従って、録画中管理テーブル１０００ｂには、録画中の伝送端末１０及び情報処理端末４０の全ての通信ＩＤが記録されている。
【０１９７】
補助領域表示部１８ａは、すでに録画通知情報８０を表示しているか否かを判定する（Ｓ３０）。すでに録画通知情報８０を表示している場合とは、ビデオ会議に参加中の伝送端末１０又は情報処理端末４０が録画開始通知を送信した後に、別の伝送端末１０又は情報処理端末４０が録画開始通知を送信した場合である。
【０１９８】
ステップＳ３０の判定がＹｅｓの場合、すでに録画通知情報８０を表示中なので図１７の処理は終了する。
【０１９９】
ステップＳ３０の判定がＮｏの場合、補助領域表示部１８ａは録画通知情報８０を表示する（Ｓ４０）。
【０２００】
ステップＳ１０で録画終了通知を受信した場合、補助領域表示部１８ａは録画開始通知と共に送信された通信ＩＤを録画中管理テーブル１０００ｂから削除する（Ｓ５０）。従って、録画中管理テーブル１０００ｂには、録画を継続している伝送端末１０及び情報処理端末４０の通信ＩＤのみが記録されている。
【０２０１】
補助領域表示部１８ａは、録画中管理テーブル１０００ｂが１つも通信ＩＤが登録されていないかどうかを判定する（Ｓ６０）。
【０２０２】
ステップＳ６０の判定がＮｏの場合、録画を継続している伝送端末１０及び情報処理端末４０がいるので録画通知情報８０を非表示にする必要が無く、図１７の処理は終了する。
【０２０３】
ステップＳ６０の判定がＹｅｓの場合、録画を継続している伝送端末１０及び情報処理端末４０がいないので、補助領域表示部１８ａは録画通知情報８０を非表示にする（Ｓ７０）。
【０２０４】
このような手順により、録画を開始した伝送端末１０及び情報処理端末４０がいればリアルタイムに録画通知情報８０を表示し、録画を継続している伝送端末１０及び情報処理端末４０がいなくなると録画通知情報８０を非表示にできる。また、録画中管理テーブル１０００ｂに１つでも通信ＩＤが記憶されている場合、常に録画通知情報８０を表示できる。
【０２０５】
<<ネットワークの切断が発生した場合>>
会議中にネットワークの帯域低下などによりセッションが途切れる場合がある。あるいは、参加者が誤って通信のために必要なケーブルを抜いてしまう場合もある。セッションが途切れた伝送端末１０又は情報処理端末４０が録画中である場合、他の拠点の伝送端末１０又は情報処理端末４０が録画通知情報８０を表示したままになってしまう。このため、録画終了情報が送信されなくてもセッションが途切れた伝送端末１０又は情報処理端末４０を伝送管理装置５０が検出して他の拠点の伝送端末１０又は情報処理端末４０に通知することが好ましい。
【０２０６】
図１８は、セッションが途切れたことを伝送管理装置５０が検出した場合の伝送システム１の動作手順を示すシーケンス図の一例である。なお、図１８のステップＳ１〜Ｓ５までの処理は図１０と同様である。
【０２０７】
S6：伝送管理装置５０のセッション管理部５６は、セッションを確立した伝送端末１０及び情報処理端末４０の死活を定期的に監視する。すなわち、セッション管理テーブルに登録されている通信ＩＤの伝送端末１０及び情報処理端末４０に対しＰｉｎｇ応答などを要求する。
【０２０８】
S7：何らかの原因で情報処理端末４０と伝送管理装置５０の間の通信が切断されると、セッション管理部５６はセッションが途切れたことを検知できる。
【０２０９】
S8：セッションが途切れたことをセッション管理部５６が検知すると、状態管理部５３はセッションが途切れた情報処理端末４０ｂｄの通信ＩＤの稼動状態をオフラインに変更する。なお、状態管理部５３は録画中管理テーブル５００６から情報処理端末４０ｂｄの通信ＩＤを削除し、録画終了通知を受信した場合と同様に端末管理テーブルの稼動状態を更新する。
【０２１０】
S9：また、伝送管理装置５０の送受信部５１は、会議中の伝送端末１０及び情報処理端末４０に対し参加拠点の稼動状態変更情報を送信する。端末状態変更情報には情報処理端末４０ｂｄの通信ＩＤと稼動状態が含まれる。
【０２１１】
S10：伝送端末１０ａａの送受信部１１は端末状態変更情報を受信し、録画通知情報８０の表示制御を行う。すなわち、セッションが途切れた情報処理端末４０ｂｄ以外に録画中管理テーブル１０００ｂに伝送端末１０及び情報処理端末４０の通信ＩＤが登録されていない場合、録画通知情報８０を非表示にする。
【０２１２】
図１９を用いて図１８のステップＳ１０の処理を説明する。図１９は、伝送端末１０ａａが端末状態変更情報を受信した場合の処理を説明するフローチャート図の一例である。図１９の処理はビデオ会議中、繰り返し実行されている。
【０２１３】
伝送端末１０ａａの送受信部１１は伝送管理装置５０から端末状態変更情報を受信したか否かを判定する（Ｓ１０）。
【０２１４】
ステップＳ１０の判定がＹｅｓの場合、伝送端末１０ａａの補助領域表示部１８ａは退室した（オフライン）になった伝送端末１０及び情報処理端末４０を確認する（Ｓ２０）。すなわち、伝送端末１０ａａは宛先状態情報や端末状態変更情報を受信しているので、最後に受信した宛先状態情報や端末状態変更情報の各伝送端末１０又は情報処理端末４０の稼動状態を参照し、ステップＳ１０で受信した端末状態変更情報と比較する。比較により、稼動状態が「録画会議中」から「オフライン」になった各伝送端末１０又は情報処理端末４０の通信ＩＤを特定する。
【０２１５】
そして、補助領域表示部１８ａは、特定した通信ＩＤが録画拠点ＩＤテーブルに存在するかどうかを判定する（Ｓ３０）。
【０２１６】
通信ＩＤが録画拠点ＩＤテーブルに存在しない場合（Ｓ３０のＮｏ）、セッションが途切れた情報処理端末４０ｂｄは録画していなかったので、図１９の処理は終了する。
【０２１７】
通信ＩＤが録画拠点ＩＤテーブルに存在した場合（Ｓ３０のＹｅｓ）、セッションが途切れた情報処理端末４０ｂｄは録画していたので、補助領域表示部１８ａは端末状態変更情報に含まれる通信ＩＤを録画中管理テーブル１０００ｂから削除する（Ｓ４０）。
【０２１８】
補助領域表示部１８ａは、録画中管理テーブル１０００ｂが１つも通信ＩＤが登録されていないかどうかを判定する（Ｓ５０）。
【０２１９】
ステップＳ５０の判定がＮｏの場合、録画を継続している伝送端末１０及び情報処理端末４０がいるので録画通知情報８０を非表示にする必要が無く、図１９の処理は終了する。
【０２２０】
ステップＳ５０の判定がＹｅｓの場合、録画を継続している伝送端末１０及び情報処理端末４０がいないので、補助領域表示部１８ａは録画通知情報８０を非表示にする（Ｓ７０）。
【０２２１】
このような手順により、参加拠点に変更があっても、伝送端末１０ａａは録画通知情報８０をリアルタイムに更新できる。
【０２２２】
＜情報表示画面における録画通知情報＞
情報表示画面６０１に表示される録画拠点マーク７１について説明する。ユーザが、例えば、操作ボタン１０８を操作することで、２つの表示モードを交互に切り替えることができる。なお、伝送端末１０が情報処理端末４０の場合、操作ボタン１０８の代わりに、情報処理端末４０のハードキーやタッチパネルに表示されたソフトキーの押下により、２つの表示モードを交互に切り替えることができる。
【０２２３】
図２０は、情報表示モードでディスプレイ１２０に表示された情報表示画面６０１の一例を示す図である。図２０は伝送端末１０ａａが表示した情報表示画面６０１である。図２０に示すように、情報表示モードにおいて、伝送端末１０の拠点リスト表示部１８ｂは、ビデオ会議に参加している各伝送端末１０の連番６１４、端末名６１５及び通信ＩＤ６１６を含む端末情報をディスプレイ１２０に表示させる。連番６１４は参加順などで各端末に割り当てられる番号であり、連番６１４の最も大きい数字が参加している拠点の拠点数（端末数）を表す。
【０２２４】
また、情報処理端末４０ｂｄには録画拠点マーク７１が表示されている。拠点リスト表示部１８ｂは後述するように稼動状態が録画会議中の伝送端末１０及び情報処理端末４０の連番の前に録画拠点マーク７１を表示する。録画拠点マーク７１の表示態様は、他拠点録画マーク７２と同様に図示したものには限られない。
【０２２５】
図２０に示す情報表示画面６０１には、画像を表示するための画像表示領域５２０と、端末情報を表示するための端末情報表示領域５３０とが割り当てられている。例えば、端末情報表示領域５３０には、ビデオ会議に参加している伝送端末１０の端末情報がリスト表示されている。
【０２２６】
なお、リスト表示されている端末情報のなかで端末名が表示されていないものは、宛先リスト管理ＤＢ５００３において、自端末の宛先端末の候補として登録されていない伝送端末１０を表している。例えば、通信ＩＤが０１ｄｂの伝送端末１０ｄｂは、表３に示すように伝送端末１０ａａの宛先端末の候補として宛先リスト管理ＤＢ５００３に登録されているため端末名が表示されている。通信ＩＤが０１ｃｄの伝送端末１０ｃｄは、伝送端末１０ａａの宛先端末の候補として宛先リスト管理ＤＢ５００３に登録されていないため端末名が表示されていない。
【０２２７】
画像表示領域５２０には、ビデオ会議に参加している伝送端末１０の中から主要な伝送端末の画像データが表す画像が表示される。例えば、音声データの音量が最も大きい伝送端末１０又は情報処理端末４０の画像データが表示される。
【０２２８】
また、図２０に示すように、会議に参加している拠点が１画面に収まらない場合はスクロールバー６１３が表示される。ユーザは操作ボタン１０８を操作することで情報表示画面６０１の画面外に隠れていた拠点の情報を表示させることができる。これにより、画面外に隠れていた拠点が録画中の場合は録画拠点マーク７１が表示され、参加者が録画している伝送端末１０又は情報処理端末４０を特定できる。
【０２２９】
（情報表示画面６０１の表示手順）
図２１は、伝送端末１０ａａが情報表示モードに切り替えられた際に、端末情報表示領域５３０に端末情報を表示させる端末情報表示動作を示したシーケンス図である。なお、図２１に示す端末情報表示動作においては、管理情報用セッションｓｅｉで各種情報が送受信される。
【０２３０】
まず、伝送端末１０ａａは、ビデオ会議に参加している伝送端末及び情報処理端末４０の端末情報の要求を表す端末情報要求信号を伝送管理装置５０に送信する（ステップＳ７０）。すなわち、ユーザが操作ボタン１０８を操作して全画面表示モードを情報表示モードに切り替えると、操作入力受付部１２がこの操作受け付けて端末情報要求信号が伝送管理装置５０に送信される。
【０２３１】
端末情報要求信号を受信した伝送管理装置５０の端末状態取得部５５は、端末情報要求信号の送信元のＩＰアドレスを検索キーとして、記憶部５０００の端末管理ＤＢ５００２を検索し、端末情報要求信号を送信した伝送端末１０ａａの通信ＩＤを取得する（ステップＳ７１）。なお、伝送端末１０ａａが通信ＩＤを送信してよい。
【０２３２】
次に、端末状態取得部５５は、セッション管理テーブルを参照し伝送端末１０ａａと同じ会議に参加している伝送端末１０及び情報処理端末４０の通信ＩＤを特定する。次に、端末管理ＤＢ５００２を検索し、稼動状態が「オンライン（伝送中）」又は「録画会議中」になっている通信ＩＤと端末名とを検索する（ステップＳ７２）。
【０２３３】
次に、端末状態取得部５５は、ステップＳ７１で検出した通信ＩＤ（本実施形態においては、「０１ａａ」）を検索キーとして、記憶部５０００の宛先リスト管理ＤＢ５００３を検索し、端末情報要求信号の送信元を宛先端末とする伝送端末１０及び情報処理端末４０の通信ＩＤを取得する（ステップＳ７３）。
【０２３４】
次に、端末状態取得部５５は、ステップＳ７２で取得した各通信ＩＤが端末情報要求信号の送信元の通信ＩＤ（０１ａａ）又はステップＳ７３で取得した通信ＩＤに含まれているか否かを判定する。含まれていると判定した場合には、通信ＩＤと端末名とを送受信部５１に端末情報要求信号の送信元に応答させ、含まれていないと判定した場合には、通信ＩＤだけを送受信部５１に端末情報要求信号の送信元に応答させる（ステップＳ７４）。
【０２３５】
この応答を受信した伝送端末１０の表示制御部１７の拠点リスト表示部１８ｂは、図２０に示す情報表示画面６０１のように、端末情報表示領域５３０に応答内容を表示する（ステップＳ７５）。まず、端末名と（端末名はない場合がある）と通信ＩＤの組に連番を付す。次に、録画中管理テーブル１０００ｂの通信ＩＤを全て取得する。そして、録画中管理テーブル１０００ｂの通信ＩＤを読み出し、この通信ＩＤの伝送端末１０又は情報処理端末４０に対応付けて録画拠点マーク７１を配置する。
【０２３６】
このような処理により、情報表示画面６０１において録画拠点マーク７１を表示することができる。また、録画拠点マーク７１を表示するだけでなく、又は、録画拠点マーク７１を表示せずに、伝送端末１０ａａが音声で録画中の端末名を読み上げてもよい。この場合、録画開始通知が送信されたタイミングで伝送端末１０ａａが音声で録画中の端末名を読み上げる。あるいは、ユーザが伝送端末１０ａａを操作した任意のタイミングで伝送端末１０ａａが音声で録画中の端末名を読み上げる。
【０２３７】
なお、情報表示画面６０１の表示中、録画開始通知、録画終了通知、又は端末状態変更情報を伝送端末１０ａａが受信した場合、表示制御部１７の拠点リスト表示部１８ｂはリアルタイムに録画拠点マーク７１を表示し、また、非表示にする。
【０２３８】
また、情報表示画面６０１において録画拠点マーク７１だけでなくラベル７３を表示してもよい。また、情報表示画面６０１においてラベル７３だけを表示してもよい。
【０２３９】
従って、伝送端末１０ａａが複数の拠点とビデオ会議を行っている間、伝送端末１０ａａのユーザは録画している拠点（伝送端末１０及び情報処理端末４０）ごとに録画中かどうかを判断できる。録画拠点マーク７１はリアルタイムに更新されるので、ユーザは録画を開始した拠点を録画の開始後、早期に判断できる。全画面表示画面５０１と情報表示画面６０１のどちらでも録画している拠点がいることをユーザが把握できる。
【実施例２】
【０２４０】
本実施例では、伝送端末１０の機能が搭載された電子黒板８について説明する。従来から大型ディスプレイに表示させた背景画像に文字や数字、図形等のストローク画像を描画可能な電子黒板８が知られている。電子黒板８は、企業や教育機関、行政機関等、及びこれら以外でも広く利用されている。
【０２４１】
外部から入力された画像を電子黒板８がディスプレイに重畳して表示させる機能を有する場合がある。また、電子黒板８に伝送端末１０の機能を搭載することが検討されている。電子黒板８に伝送端末１０の機能が搭載されると、電子黒板８に手書きされたストローク画像を他の拠点の伝送端末１０に送信できる。
【０２４２】
図２２は、伝送端末１０の機能を有する電子黒板８を説明する図の一例である。電子黒板８は一般的な電子黒板の機能と伝送端末１０の機能を有し、伝送端末１０ｄｄとビデオ会議を行うことができる。電子黒板８は電子黒板アプリのストローク画像と、ビデオ会議アプリの画像とを切り替えて表示する。
【０２４３】
しかし、電子黒板８ではディスプレイ３の多くの部分をストローク画像などで占有してしまい、起動しているが画面が表示されない例えばビデオ会議アプリの状態変化が分かりにくい。このため、ユーザＵ２がビデオ会議アプリの状態変化に気がつきにくいという問題があった。
【０２４４】
例えば、電子黒板８の電子黒板アプリが生成するストローク画像はビデオ会議アプリが伝送端末１０ｄｄに送信する。伝送端末１０ｄｄのユーザＵ１は実施例１のように録画を開始することができる。しかし、電子黒板８のビデオ会議アプリが他の拠点から録画開始通知を受信しても、電子黒板８のユーザＵ２が気づかない場合があり得る。このため、非公開情報が気づかないままに録画されるおそれがある。
【０２４５】
図２２では、電子黒板８に手書きされた「秘密事項」が伝送端末１０ｄｄと共有されている。伝送端末１０ｄｄのユーザＵ１は画像データを録画しているため、電子黒板８のビデオ会議アプリは録画拠点マーク７１又は他拠点録画マーク７２を表示中であるが、ユーザＵ２は見ることができない。このような非公開情報の記録は、例えば、インサイダーやインシデントのリスク、又はなんらかのコミュニケーション上の不都合をもたらすおそれがある。
【０２４６】
そこで、本実施例では、伝送端末１０の機能を有する電子黒板８に記録開始通知が送信された場合に、ビデオ会議アプリ７１０の情報を電子黒板アプリがディスプレイ３に表示することで、ユーザＵ２に気づかせる伝送システム１について説明する。
【０２４７】
＜電子黒板８の動作の概略＞
図２３は、本実施例の電子黒板８の動作の概略を説明する図の一例である。図２３（ａ）に示すように、電子黒板８はビデオ会議アプリ７１０、電子黒板アプリ７２０、及び、インタフェースアプリ７３０を有する。これらはＯＳ（Operating System）７００上で動作するアプリケーションソフトウェアである。ＯＳ７００としては適切なものであればよく、特定のＯＳ７００であることを要請するものではないが、例えばＷｉｎｄｏｗｓ（登録商標）、Ｌｉｎｕｘ（登録商標）、Ａｎｄｏｒｏｉｄ（登録商標）などがある。
【０２４８】
ビデオ会議アプリ７１０は実施例１にて説明した伝送端末１０又は情報処理端末４０が有する機能を提供する。電子黒板アプリ７２０の機能については後述する。
【０２４９】
図２３（ｂ）はインタフェースアプリ７３０の動作を説明する図である。インタフェースアプリ７３０は、独立した２つのビデオ会議アプリ７１０と電子黒板アプリ７２０のインタフェースを提供するアプリである。インタフェースアプリ７３０と通信するためにビデオ会議アプリ７１０はインタフェース処理部７１０ａを有しており、電子黒板アプリ７２０はインタフェース処理部７２０ａを有している。
【０２５０】
インタフェースアプリ７３０は、インタフェース処理部７１０ａを介してビデオ会議アプリ７１０と通信し、インタフェース処理部７２０ａを介して電子黒板アプリ７２０と通信する。例えば、インタフェースアプリ７３０は、ビデオ会議アプリ７１０が録画開始通知の受信したこと又は録画会議中という稼動状態、録画中管理テーブルなどを検出し、電子黒板アプリ７２０に通知する。これにより、電子黒板アプリ７２０は、他拠点が録画中である旨を表示できる。
【０２５１】
＜電子黒板８のディスプレイの画面例＞
図２４は、電子黒板アプリ７２０が生成する電子黒板ＵＩ画面７４０が表示された電子黒板８のディスプレイ３を示す図の一例である。電子黒板ＵＩ画面７４０は、主にユーザが手書きするストローク画像が表示される画面である（第二の画面）。また、アイコン部７０１を有しており、ユーザはストロークの線種や色を選んだり、図形やスタンプの描画を行ったりすることができる。
【０２５２】
このアイコン部７０１にはビデオ会議アイコン７０２ａが表示される。ユーザがビデオ会議アイコン７０２ａを選択すると、電子黒板８はビデオ会議アプリ７１０が生成する次述のビデオ会議ＵＩ画面７５０をディスプレイ３に表示する。なお、このような処理はアプリの切り替えに相当し、ＯＳ７００により制御される。
【０２５３】
図２５は、ビデオ会議アプリ７１０が生成するビデオ会議ＵＩ画面７５０が表示された電子黒板８のディスプレイ３を示す図の一例である。ビデオ会議ＵＩ画面７５０は、図１１の宛先リスト画面と同等の情報に加え、電子黒板アイコン７０３を有する（第一の画面）。ユーザが電子黒板アイコン７０３を選択すると、電子黒板８は電子黒板アプリ７２０が生成する電子黒板ＵＩ画面７４０をディスプレイ３に表示する。なお、このような処理はアプリの切り替えに相当し、ＯＳにより制御される。従って、ユーザは、ビデオ会議ＵＩ画面７５０と電子黒板ＵＩ画面７４０を任意に切り替えることができる。
【０２５４】
なお、ビデオ会議ＵＩ画面７５０と電子黒板ＵＩ画面７４０はどちらか一方が表示されるだけでなく、一部が重複するようにしてビデオ会議ＵＩ画面７５０と電子黒板ＵＩ画面７４０の両方が表示されてもよい。この場合、ビデオ会議ＵＩ画面７５０の他拠点録画マークが電子黒板ＵＩ画面７４０により隠れている場合は、本実施例が有効である。
【０２５５】
＜電子黒板８のハードウェア構成＞
図２６は、電子黒板８のハードウェア構成図である。図２６に示されているように、電子黒板８は、電子黒板８全体の動作を制御するＣＰＵ３０１、ＩＰＬ等のＣＰＵ３０１の駆動に用いられるプログラムを記憶したＲＯＭ３０２、ＣＰＵ３０１のワークエリアとして使用されるＲＡＭ３０３、電子黒板８用のプログラム等の各種データを記憶するＳＳＤ３０４、伝送ネットワーク２との通信を制御するネットワークコントローラ３０５、及び、ＵＳＢメモリ５との通信を制御する外部記憶コントローラ３０６を備えている。
【０２５６】
また、電子黒板８は、ノートＰＣ６のディスプレイ３に対して映像情報を静止画又は動画として表示させるキャプチャデバイス３０９、グラフィクスを専門に扱うＧＰＵ(Graphics Processing Unit)３０８、及び、ＧＰＵ３０８からの出力画像をディスプレイ３等へ出力するために画面表示の制御及び管理を行うディスプレイコントローラ３１３を備えている。
【０２５７】
更に、電子黒板８は、接触センサ３１２の処理を制御するセンサコントローラ３０７、ディスプレイ３上に電子ペン４やユーザの手Ｈ等が接触したことを検知する接触センサ３１２を備えている。この接触センサ３１２は、赤外線遮断方式による座標の入力及び座標の検出を行う。この座標の入力及び座標の検出する方法は、ディスプレイ３の上側両端部に設置された２つ受発光装置が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ３１２は、物体によって遮断された２つの受発光装置が放射した赤外線のＩＤ(Identification)をセンサコントローラ３０７に出力し、センサコントローラ３０７が、物体の接触位置である座標位置を特定する。
【０２５８】
また、接触センサ３１２としては、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【０２５９】
また、電子黒板８は、電子ペンコントローラ３１０を備えている。この電子ペンコントローラ３１０は、電子ペン４と通信することで、ディスプレイ３へのペン先のタッチやペン尻のタッチの有無を判定する。なお、電子ペンコントローラ３１０が、電子ペン４のペン先及びペン尻だけでなく、電子ペン４のユーザが握る部分や、その他の電子ペンの部分のタッチの有無を判定するようにしてもよい。
【０２６０】
更に、電子黒板８は、ＣＰＵ３０１、ＲＯＭ３０２、ＲＡＭ３０３、ＳＳＤ３０４、ネットワークコントローラ３０５、外部記憶コントローラ３０６、キャプチャデバイス３０９、ＧＰＵ３０８、センサコントローラ３０７、及び電子ペンコントローラ３１０を、図２６に示されているように電気的に接続するためのアドレスバスやデータバス等のバスライン３２０を備えている。
【０２６１】
＜電子黒板アプリ７２０の機能構成＞
次に、図２７〜図３２を用いて、電子黒板８の機能構成について説明する。図２７は、電子黒板８の機能ブロック図である。
【０２６２】
電子黒板８は、図２６に示されているハードウェア構成及びプログラムの実行によって、映像取得部２１、座標検知部２２、自動調整部２３、接触検知部２４、イベント振分部２５、操作処理部２６、ジェスチャ処理部２７、映像重畳部２８、及び、画像処理部９を有する。これら点線で囲まれた機能がビデオ会議アプリ７１０の機能である。
【０２６３】
このうち、映像取得部２１は、ケーブルに接続されたノートＰＣ６等の映像出力機器の出力映像を取得する。映像取得部２１は、映像出力機器から画像信号を受信すると、この画像信号を解析して、この画像信号によって形成される映像出力機器の表示画像である画像フレームの解像度や、この画像フレームの更新頻度などの画像情報を導出し、後述の画像取得部３１に出力する。
【０２６４】
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。
【０２６５】
自動調整部２３は、電子黒板８の起動時に起動され、接触センサ３１２が座標検知部２２に適切な値を出力できるように、接触センサ３１２の光センサ方式におけるセンサーカメラの画像処理のパラメータを調整する。
【０２６６】
接触検知部２４は、ユーザによって生じたイベント（ディスプレイ３上に電子ペン４のペン先又は電子ペン４のペン尻が押下（タッチ）された動作等）を検出する。
【０２６７】
イベント振分部２５は、座標検知部２２によって検知されたイベントの座標位置と接触検知部２４によって検出された検出結果を、ストローク描画、ＵＩ操作、及びジェスチャ操作の各イベントに振り分ける。ここで、図２８を用い、ストローク描画、ＵＩ操作、及びジェスチャ操作について説明する。なお、図２８は、各画像レイヤの構成図である。
【０２６８】
まず、「ストローク描画」は、ユーザがディスプレイ３上で電子ペン４を押下し、この押下した状態で電子ペン４を移動させ、最終的にディスプレイ３上から電子ペン４を離すまでのイベントにより描画される。このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集したりするイベントも含まれる。
【０２６９】
「ＵＩ操作」は、ディスプレイ３上に図２８に示されている後述のＵＩ画像（Ａ）が表示されている場合に、ユーザが電子ペン４又は手Ｈによって所定の位置を押下したイベントである。このＵＩ操作により、例えば、電子ペン４により描画される線の色や幅等が設定される。
【０２７０】
「ジェスチャ操作」は、ディスプレイ３上に図２８に示されている後述のストローク画像（Ｂ）が表示されている場合に、ユーザが手Ｈでディスプレイ３上をタッチしたり移動したりするイベントである。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【０２７１】
続いて、図２７に戻り、操作処理部２６は、イベント振分部２５によってＵＩ操作と判定されたものから、イベントが発生されたＵＩの要素に従って、各種操作を実行する。このＵＩの要素としては、例えば、ボタン、リスト、チェックボックス、テキストボックスが挙げられる。
【０２７２】
ジェスチャ処理部２７は、イベント振分部２５によってジェスチャ操作と判定されたものに対応した操作を実行する。
【０２７３】
映像重畳部２８は、後述の表示重畳部３６で重畳された画像を映像として映像出力機器（ディスプレイ３等）に対して表示する。また、映像重畳部２８は、映像出力機器（ノートＰＣ６等）からの映像に対して、他の映像出力機器（カメラ７等）から送られて来た映像をピクチャ・イン・ピクチャする。更に、映像重畳部２８は、ピクチャ・イン・ピクチャされてディスプレイ３の一部に表示された映像を、ディスプレイ３の全体に表示させるための切り替えを行う。
【０２７４】
（画像処理部の機能構成）
続いて、画像処理部９の機能構成について、詳細に説明する。画像処理部９は、図２８に示されているような各画像レイヤの重畳処理等を行う。
【０２７５】
そのため、画像処理部９は、画像取得部３１、ストローク処理部３２、ＵＩ画像生成部３３、背景生成部３４、レイアウト管理部３５、表示重畳部３６、ページ処理部３７、ファイル処理部４２、及びページデータ記憶部３００を有している。
【０２７６】
このうち、画像取得部３１は、映像取得部２１で取得された映像から、各フレームを画像として取得する。この画像は、図２８に示されている出力画像（Ｃ）に相当する。
【０２７７】
ストローク処理部３２は、イベント振分部２５によって割り振られたストローク描画に係るイベントに基づいて、画像を描画したり、描画された画像を削除したり、描画された画像を編集する。このストローク描画による画像は、図２８に示されているストローク画像（Ｂ）に相当する。
【０２７８】
ＵＩ画像生成部３３は、電子黒板８に予め設定されているＵＩ（ユーザインターフェース）画像を生成する。このＵＩ画像は、図２８に示されているＵＩ画像（Ａ）に相当する。
【０２７９】
背景生成部３４は、ディスプレイ３上に表示される背景画像を生成する。この背景画像は、図２８に示されている背景画像（Ｄ）に相当する。背景画像のパターンは、無地、グリッド表示等である。
【０２８０】
レイアウト管理部３５は、表示重畳部３６に対して、画像取得部３１、ストローク処理部３２、ＵＩ画像生成部３３、及び背景生成部３４から出力された各画像のレイアウトを示すレイアウト情報を管理している。これにより、レイアウト管理部３５は、表示重畳部３６に対して、出力画像（Ｃ）及びストローク画像（Ｂ）を、ＵＩ画像（Ａ）及び背景画像（Ｄ）中のどの位置に表示させるか又は非表示にさせるかを指示することができる。
【０２８１】
表示重畳部３６は、画像取得部３１からの出力画像（Ｃ）、ストローク処理部３２からのストローク画像（Ｂ）、ＵＩ画像生成部３３からのＵＩ画像（Ａ）、及び、背景生成部３４からの背景画像（Ｄ）を、レイアウト管理部３５によって指定されたレイアウトに従って重畳する。これにより、図２８に示されているように、各画像が重なってもユーザが見える順に、ＵＩ画像（Ａ）、ストローク画像（Ｂ）、出力画像（Ｃ）、及び背景画像（Ｄ）の各レイヤの構成となっている。
【０２８２】
また、表示重畳部３６は、図２８に示されている画像（Ｃ）と画像（Ｄ）を切り替えて、画像（Ａ）及び画像（Ｂ）に対して排他的に重畳することも可能である。例えば、当初に、画像（Ａ）、画像（Ｂ）及び画像（Ｃ）が表示されている状態で、電子黒板８と映像出力機器（ノートＰＣ６等）との間のケーブルが抜かれた場合には、レイアウト管理部３５の指定によって、画像（Ｃ）を重畳対象から外し、画像（Ｄ）を表示させることができる。この場合に、また、表示重畳部３６は、表示の拡大、表示の縮小、表示領域の移動処理も行う。
【０２８３】
ページ処理部３７は、ストローク画像（Ｂ）のデータと出力画像（Ｃ）のデータを、１つのページデータにまとめてページデータ記憶部３００に記憶する。また、ページ処理部３７は、画像取得部３１を介して記憶したページデータを表示重畳部３６に送信することで、映像重畳部２８がページデータをディスプレイ３に再表示させることができる。
【０２８４】
更に、ページ処理部３７は、画像取得部３１を介して記憶したページデータをビデオ会議アプリ７１０に送信することで、ビデオ会議アプリ７１０から他の電子黒板８や伝送端末１０にページデータ（ストローク配列データ、メディアデータ）を送信することができる。また、ページ処理部３７は、ページデータをストローク処理部３２に送信することで、ストロークの再編集ができる状態にすることができる。更に、ページ処理部３７は、ページデータを削除したり複製したりすることもできる。
【０２８５】
また、ページ処理部３７は、ページデータ記憶部３００からページデータを読み出す場合には、１つにまとめたページデータから、ストローク画像（Ｂ）を示すストローク配列データ、及び背景画像（Ｄ）を示すメディアデータに分ける。即ち、ページ処理部３７がページデータ記憶部３００に記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読みされる。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、画像取得部３１に出力する。
【０２８６】
ページデータ記憶部３００は、図２９に示されているようなページデータを記憶する。図１２は、ページデータを示す概念図である。ページデータは、ディスプレイ３に表示される１ページ分のデータ（ストロークデータ及び画像データ）である。なお、ページデータに含まれるパラメータの種類が多いため、ここでは、図２９〜図３１に分けて、ページデータの内容を説明する。
【０２８７】
ファイル処理部４２は、電子黒板８が異常終了した後に、異常終了を検知し、未保存のページデータを復旧する。例えば、正常終了の場合は、ファイル処理部４２が、ページデータ記憶部３００からページデータを取得し、ＰＤＦファイルとしてＵＳＢ５に記録する。しかし、電源がダウンした等の異常終了の場合は、ページデータがページデータ記憶部３００に記録されたままになっている。そのため、再び、電源オンになった際に、ファイル処理部４２が、ページデータ記憶部３００からページデータを読み出すことで復旧させる。また、ファイル処理部４２は、ＵＳＢメモリ５から、ＰＤＦファイルを読み込み、各ページをページデータとしてページデータ記憶部３００に記憶する。
【０２８８】
ここで、ページデータについて、詳細に説明する。ページデータは、図２９に示されているように、任意の１ページを識別するためのページデータＩＤ、このページの表示を開始した時刻を示す開示時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、後述の図１１に示されているストローク画像（Ｂ）がディスプレイ３上に表示されるためのデータである。メディアデータは、後述の図２８に示されている背景画像（Ｄ）がディスプレイ３上に表示されるためのデータである。
【０２８９】
このようなページデータにより、例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【０２９０】
また、ストローク配列データは、図３０に示されているように詳細な情報を示している。図３０は、ストローク配列データを示す概念図である。図３０に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。
【０２９１】
更に、この座標配列データは、図３１に示されているように詳細な情報を示している。図３１は、座標配列データを示す概念図である。図３１に示されているように、座標配列データは、ディスプレイ３上の１点（Ｘ座標値、Ｙ座標値）、この１点を通過したときのストロークの開示時刻からの差分の時刻（ｍｓ）、及び、この１点における電子ペン４の筆圧の各情報を示している。即ち、図３１に示されている１点の集まりが、図３０に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【０２９２】
また、図２９に示されているページデータのうちのメディアデータは、図３０に示されているように詳細な情報を示している。図３２は、メディアデータを示す概念図である。図３２に示されているように、メディアデータは、図２９に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）及び画像のサイズ（幅、高さ）、並びにメディアデータの内容を示すデータが関連付けられて示されている。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示している。
【０２９３】
（ビデオ会議アプリの機能構成）
続いて、ビデオ会議アプリ７１０の機能構成について詳細に説明する。ビデオ会議アプリ７１０は、電子黒板８が、外部の装置等（伝送端末１０、ＵＩ提供装置２０，他の電子黒板８、伝送管理装置５０、中継装置３０、及びプログラム提供装置９０）と通信するための処理を制御する。
【０２９４】
そのため、ビデオ会議アプリ７１０は、送受信部６１、操作入力受付部６２、ログイン要求部６３、加工部６４、出力重畳部６５、表示制御部６６、宛先リスト作成部６７、判断部６８、及び記憶・読出処理部６９を有している。更に、ビデオ会議アプリ７１０は、図２６に示されているＳＳＤ３０４によって構築される記憶部６０００を有している。
【０２９５】
また、ビデオ会議アプリ７１０は、図６に示されている伝送端末１０の機能構成の一部を有している。即ち、ビデオ会議アプリ７１０の送受信部６１、操作入力受付部６２、ログイン要求部６３、表示制御部６６、宛先リスト作成部６７、及び記憶・読出処理部６９は、それぞれ伝送端末１０の送受信部１１、操作入力受付部１２、ログイン要求部１３、宛先リスト表示部１６、表示制御部１７、及び記憶・読出処理部１９と同様の処理を行う。また、ビデオ会議アプリ７１０の記憶部６０００は、伝送端末１０の記憶部１０００と同様の役割を果たす。このため、これらの説明は省略する。
【０２９６】
一方、加工部６４は、送受信部６１によって受信された表示能力情報（他の伝送端末１０の画面サイズ、解像度など）が、他の伝送端末に所定の画像を表示する能力がない旨を示す場合には、画像データを加工する。具体的には、加工部６４は、電子黒板８に対する操作を行うためのＵＩ画像（Ａ）を含む複数の階層の画像が重畳された画像データのうち、トリミングによってＵＩ画像に係る操作画像データを切り取った後、トリミング後の画像データをトリミング前の画像データに拡大するリサイズを行う。なお、加工部６４は、画像データを拡大するリサイズを行った後に、トリミングを行ってもよい。
【０２９７】
出力重畳部６５は、表示重畳部３６のように画像データと画像データを重畳させる。
【０２９８】
判断部６８は、送受信部６１によって受信された表示能力情報が、他の伝送端末に所定の画像を表示する能力がない旨を示す場合には、画像データを加工すると判断する。これにより、加工部６４が画像データの加工を行う。
【０２９９】
（インタフェースアプリ７３０）
図２７に示すように、電子黒板８はインタフェース部７３０ａを有する。インタフェース部７３０ａはインタフェースアプリ７３０を電子黒板８のＣＰＵ３０１が実行し図２６に示した各種のハードウェアと協働することで実現される機能又は手段である。インタフェース部７３０ａは、インタフェース処理部７１０ａを介してビデオ会議アプリ７１０の記憶・読出処理部６９に「記録開始通知を受信した旨」が記憶されているか否かを一定時間（例えば１秒〜１分の間などでよい）に監視している。また、インタフェース部７３０ａは、ＯＳ７００にディスプレイ３の最前面に表示するアプリケーションを指示する信号を送信する。
【０３００】
また、ビデオ会議アプリ７１０はインタフェース処理部７１０ａを有する。インタフェース処理部７１０ａはビデオ会議アプリ７１０を電子黒板８のＣＰＵ３０１が実行し図２６に示した各種のハードウェアと協働することで実現される機能又は手段である。インタフェース処理部７１０ａは、電子黒板アイコン７０３が押下されると、インタフェース部７３０ａに、電子黒板アプリ７２０が選択された旨を示す電子黒板ＵＩ画面切替信号を送信する。これにより、インタフェース部７３０ａは、ＯＳ７００に電子黒板ＵＩ画面７４０を表示させる。
【０３０１】
また、電子黒板アプリ７２０はインタフェース処理部７２０ａを有する。インタフェース処理部７２０ａは電子黒板アプリ７２０を電子黒板８のＣＰＵ２０１が実行し図２６に示した各種のハードウェアと協働することで実現される機能又は手段である。インタフェース処理部７２０ａは、ビデオ会議アイコン７０２ａが押下されると、インタフェース部７３０ａに、ビデオ会議アプリ７１０が選択された旨を示すビデオ会議ＵＩ画面切替信号を送信する。これにより、インタフェース部７３０ａは、ＯＳ７００にビデオ会議ＵＩ画面７５０を表示させる。
【０３０２】
＜動作手順＞
図３３は、電子黒板８で動作するビデオ会議アプリ７１０が録画開始通知を受信した場合の動作手順を示すシーケンス図の一例である。図３３では、図８、９の処理によりすでにビデオ会議が開催されているものとする。
【０３０３】
S1：伝送端末１０ｄｄから伝送管理装置５０に録画開始通知が送信される。録画開始通知については図１０にて説明した。
【０３０４】
S2：伝送管理装置５０の送受信部５１は、伝送端末１０ｄｄとビデオ会議を行っている電子黒板８に録画開始通知を送信する。
【０３０５】
S3、S4：インタフェース部７３０ａは一定時間ごとに、インタフェース処理部７１０ａを介して、ビデオ会議アプリ７１０の記憶・読出処理部６９に対し、録画開始通知を受信したか否かを監視する。
【０３０６】
S5：録画開始通知を受信した場合、インタフェース部７３０ａはビデオ会議アプリ７１０が始めて録画開始通知を受信したか否かを判定する。ビデオ会議アプリ７１０の記憶部６０００も録画中管理テーブルを有するので、録画中管理テーブルの通信ＩＤがゼロの状態で通信ＩＤが登録された場合、インタフェース部７３０ａはビデオ会議アプリ７１０が始めて録画開始通知を受信したと判定する。これにより、録画開始通知を受信するたびに、ビデオ会議アプリ７１０に通知する必要がない。
【０３０７】
S6,S7：ビデオ会議アプリ７１０が始めて録画開始通知を受信したと判定すると、インタフェース部７３０ａは、インタフェース処理部７２０ａを介してＵＩ画像生成部３３にＵＩ変更要求を行う。ＵＩ変更要求は、電子黒板ＵＩ画面７４０に伝送端末１０ｄｄの稼動状態の表示を要求することをいう。具体的には伝送端末１０ｄｄが録画していることを表示する。
【０３０８】
S8：これにより、電子黒板アプリ７２０のＵＩ画像生成部３３は、伝送端末１０ｄｄが録画している旨が表示された電子黒板ＵＩ画面７４０を表示する。この電子黒板ＵＩ画面７４０の一例を図３４にて説明する。
【０３０９】
なお、この時点で、インタフェース部７３０ａはＯＳ７００にビデオ会議ＵＩ画面切替信号を送信する必要はない。まず、電子黒板８のディスプレイ３に電子黒板ＵＩ画面７４０が表示されている状況では、ステップＳ８で伝送端末１０ｄｄが録画している旨が表示されるため、ユーザが他の拠点で録画されていることに気づくことができる。電子黒板８のディスプレイ３にビデオ会議ＵＩ画面７５０が表示されている状況では、実施例１で説明した録画拠点マーク７１又は他拠点録画マーク７２が全画面表示画面５０１又は情報表示画面６０１に表示されるため、ユーザが他の拠点で録画していることに気づくことができる。
【０３１０】
インタフェース部７３０ａは、同様に、ビデオ会議アプリ７１０が録画終了通知を受信したことを検知できる。この場合、インタフェース部７３０ａは、電子黒板アプリ７２０のＵＩ画像生成部３３にＵＩ変更要求を行う。このＵＩ変更要求は、伝送端末１０ｄｄが録画している旨の消去の要求である。
【０３１１】
図３４は、他の拠点が録画している旨が表示された電子黒板ＵＩ画面７４０の一例である。図３４では、ティッカー部７６０に「録画会議中」という文字７６１が表示されている。ティッカー部７６０とは、画面の一部に設けられた画像などのコンテンツとは関係ない情報が表示される領域である。一般に、コンテンツ部分のアスペクト比を維持したままコンテンツ部分が縮小されてできる領域である。こうすることで、コンテンツに重複せずに他の拠点が録画している旨を表示できる。
【０３１２】
ただし、図３４で電子黒板ＵＩ画面７４０を特に縮小しなくてよく、例えば、電子黒板ＵＩ画面７４０のコンテンツ（手書きされたストロークなど）の四隅や中央などに重畳して表示してよい。
【０３１３】
また、ＵＩ画像生成部３３は図３４のように文字で録画中である旨を表示する他、ビデオ会議アイコン７０２ａの点滅、色変更などで録画中である旨を表示してもよい。また、文字７６１でなく録画中である旨を示すアイコンを表示してもよい。
【０３１４】
＜表示順の変更＞
次に、図３５を用いて電子黒板ＵＩ画面７４０とビデオ会議ＵＩ画面７５０の表示順の変更手順を説明する。図３５は、インタフェース部７３０ａが電子黒板ＵＩ画面７４０とビデオ会議ＵＩ画面７５０の表示順を変更する手順を示すシーケンス図の一例である。図３５は、ビデオ会議の開催中に実行される。電子黒板８のディスプレイ３にはビデオ会議ＵＩ画面７５０が表示されているものとして説明する。
【０３１５】
S1：ユーザがビデオ会議ＵＩ画面７５０の電子黒板アイコン７０３を押下する。操作入力受付部６２はこの操作を受け付けインタフェース処理部７１０ａに通知する。
【０３１６】
S2：インタフェース処理部７１０ａはこの通知を受けてインタフェース部７３０ａに電子黒板ＵＩ画面切替信号を送信する。
【０３１７】
S3：インタフェース部７３０ａは、電子黒板ＵＩ画面切替信号をＯＳ７００に送信する。
【０３１８】
S4：ＯＳ７００は電子黒板アプリ７２０の映像重畳部２８が生成する電子黒板ＵＩ画面７４０をディスプレイ３の最前面に表示する。また、電子黒板ＵＩ画面７４０をアクティブにする。すなわち、電子黒板ＵＩ画面７４０を作成した電子黒板アプリ７２０をユーザの操作の対象にする。また、ＯＳ７００は、電子黒板アプリ７２０を他のアプリよりも若干高い優先順位を割り当てる。これにより、ビデオ会議アプリ７１０も動作したまま、電子黒板ＵＩ画面７４０がディスプレイ３の最前面に表示される。
【０３１９】
なお、電子黒板アプリ７２０が最前面に表示された状態で、ビデオ会議アプリ７１０を最前面に表示するには図３５の逆の手順が実行されればよい。
【０３２０】
このように、ユーザは電子黒板アプリ７２０とビデオ会議アプリ７１０を任意に切り替えることができる。
【０３２１】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０３２２】
例えば、中継装置３０、伝送管理装置５０及びプログラム提供装置９０は、それぞれが独立に存在するのでなく、単一のコンピュータによって構築されてもよい。また、伝送端末１０、伝送管理装置５０及びプログラム提供装置９０が有する各手段及び記憶部１０００，２０００，５０００を、複数のコンピュータに任意に割り当ててもよい。この場合、ＵＩ提供装置２０はどのコンピュータの機能として含まれてもよい。
【０３２３】
また、上記実施形態では、伝送システム１の一例として、ビデオ会議システムの場合について説明したが、これに限るものではなく、ＩＰ（Internet Protocol）電話や、インターネット電話等の電話システムであってもよい。
【０３２４】
また、各伝送端末１０は伝送管理装置５０を介さずに通信してもよい。このような通信プロトコルの一例として、ＷｅｂＲＴＣが知られている。
【０３２５】
また、伝送システム１は、移動体に搭載されたカーナビゲーション装置を含むシステムであってもよい。また、伝送端末１０に画面共有用のＰＣが接続されてもよい。
【０３２６】
また、上記実施形態では、コンテンツデータの一例として、画像データ及び音声データについて説明したが、これに限るものではなく、触覚（touch）データであってもよい。この場合、一方の伝送端末側でユーザが接触した感覚が、他方の伝送端末側に伝達される。
【０３２７】
更に、コンテンツデータは、嗅覚（smell）データであってもよい。この場合、一方の伝送端末側の匂い（臭い）が、他の伝送端末側に伝達される。また、コンテンツデータは、画像データ、音声データ、触覚データ及び嗅覚データのうち、少なくとも１つのデータであればよい。
【０３２８】
また、上記実施形態では、伝送システム１によってビデオ会議をする場合について説明したが、これに限るものではなく、打ち合わせ、家族間や友人間等の一般的な会話、又は、一方向での情報の提示に使用されても構わない。
【０３２９】
また、上記実施形態では、主に画像データが録画されていることを参加者に通知したが、音声データのみが送受信されている状態で音声データが録音されていることが参加者に通知されてもよい。
【０３３０】
送受信部１１は受信手段の一例であり、拠点リスト表示部１８ｂは記録端末通知手段の一例であり、録画中管理テーブル１０００ｂは識別情報記憶手段の一例であり、全画面表示画面５０１は第一の画面の一例であり、情報表示画面６０１は第二の画面の一例である。伝送管理装置５０は外部装置の一例であり、宛先リスト表示部１６は宛先リスト表示手段の一例であり、ディスプレイ１２０は表示装置の一例である。表示制御部１７は表示制御手段の一例であり、操作入力受付部１２は選択受付手段の一例であり、補助領域表示部１８ａは記録中通知手段の一例である。宛先リスト管理ＤＢ５００３は宛先リスト記憶手段の一例であり、端末管理ＤＢ５００２は端末状態記憶手段の一例であり、画像録画部４１は記録手段の一例であり、送受信部５１は送信手段の一例である。伝送端末１０は第一の情報処理装置（又は第二の情報処理装置）の一例であり、伝送管理装置５０は第二の情報処理装置の一例である。表示制御部６６は第一の表示制御手段の一例であり。ＵＩ画像生成部３３と映像重畳部２８は第二の表示制御手段の一例であり、インタフェース部７０３ａは通知手段の一例である。
【符号の説明】
【０３３１】
１  伝送システム
１０  伝送端末
１２  操作入力受付部
１７  表示制御部
１８ａ  補助領域表示部
１８ｂ  拠点リスト表示部
５０  伝送管理装置
５２  端末認証部
５３  状態管理部
５４  端末抽出部
５５  端末状態取得部
１２０  ディスプレイ
【先行技術文献】
【特許文献】
【０３３２】
【特許文献１】特開２０１１−２１６９８４号公報
【図１】
2020171030.tif 000008
【図２】
2020171030.tif 000009
【図３】
2020171030.tif 000010
【図４】
2020171030.tif 000011
【図５】
2020171030.tif 000012
【図６】
2020171030.tif 000013
【図７】
2020171030.tif 000014
【図８】
2020171030.tif 000015
【図９】
2020171030.tif 000016
【図１０】
2020171030.tif 000017
【図１１】
2020171030.tif 000018
【図１２】
2020171030.tif 000019
【図１３】
2020171030.tif 000020
【図１４】
2020171030.tif 000021
【図１５】
2020171030.tif 000022
【図１６】
2020171030.tif 000023
【図１７】
2020171030.tif 000024
【図１８】
2020171030.tif 000025
【図１９】
2020171030.tif 000026
【図２０】
2020171030.tif 000027
【図２１】
2020171030.tif 000028
【図２２】
2020171030.tif 000029
【図２３】
2020171030.tif 000030
【図２４】
2020171030.tif 000031
【図２５】
2020171030.tif 000032
【図２６】
2020171030.tif 000033
【図２７】
2020171030.tif 000034
【図２８】
2020171030.tif 000035
【図２９】
2020171030.tif 000036
【図３０】
2020171030.tif 000037
【図３１】
2020171030.tif 000038
【図３２】
2020171030.tif 000039
【図３３】
2020171030.tif 000040
【図３４】
2020171030.tif 000041
【図３５】
2020171030.tif 000042
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
ネットワークを介して接続された１つ以上の他の情報処理装置と会議を行う情報処理装置であって、
前記１つ以上の他の情報処理装置のうちの第１の情報処理装置と第２の情報処理装置にて行われている会議へ参加する旨の要求を受け付ける受付手段と、
前記受付手段で受け付けた会議が画像データ又は音声データの少なくとも一方を記録中である旨を表示画面に表示させる表示制御手段と、
を有する情報処理装置。
【請求項２】
前記受付手段にて参加する旨の要求を受け付けた会議が画像データ又は音声データの少なくとも一方を記録中である情報を受信する受信手段、
をさらに有する請求項１に記載の情報処理装置。
【請求項３】
前記表示制御手段は、前記受付手段で受け付けた会議に参加するか否かを確認する画面を表示画面に表示させる請求項１又は２に記載の情報処理装置。
【請求項４】
前記受付手段で会議に参加する旨の情報を受け付けた場合に、前記１つ以上の他の情報処理装置のうちの第１の情報処理装置と第２の情報処理装置にて行われている会議へ参加させ、
前記受付手段で会議に参加しない旨の情報を受け付けた場合に、前記１つ以上の他の情報処理装置のうちの第１の情報処理装置と第２の情報処理装置にて行われている会議へ参加させないことを制御する制御手段、
をさらに有する請求項３に記載の情報処理装置。
【請求項５】
前記表示制御手段は、自装置と前記１つ以上の他の情報処理装置のうちの第１の情報処理装置と第２の情報処理装置にて行われている会議において、前記表示画面に電子黒板を表示させ、該電子黒板を含む表示画面に、前記会議が画像データ又は音声データの少なくとも一方を記録中である旨を表示させる請求項１乃至４のいずれか一項に記載の情報処理装置。
【請求項６】
ネットワークを介して接続された１つ以上の他の情報処理装置と会議を行う情報処理装置を、
前記１つ以上の他の情報処理装置のうちの第１の情報処理装置と第２の情報処理装置にて行われている会議へ参加する旨の要求を受け付ける受付手段と、
前記受付手段で受け付けた会議が画像データ又は音声データの少なくとも一方を記録中である旨を表示画面に表示させる表示制御手段、
として機能させるためのプログラム。
【請求項７】
前記情報処理装置を、さらに、
前記受付手段にて参加する旨の要求を受け付けた会議が画像データ又は音声データの少なくとも一方を記録中である情報を受信する受信手段として機能させるための請求項６に記載のプログラム。
【請求項８】
前記表示制御手段は、前記受付手段で受け付けた会議に参加するか否かを確認する画面を表示画面に表示させる請求項６又は７に記載のプログラム。
【請求項９】
前記受付手段で会議に参加する旨の情報を受け付けた場合に、前記１つ以上の他の情報処理装置のうちの第１の情報処理装置と第２の情報処理装置にて行われている会議へ参加させ、
前記受付手段で会議に参加しない旨の情報を受け付けた場合に、前記１つ以上の他の情報処理装置のうちの第１の情報処理装置と第２の情報処理装置にて行われている会議へ参加させないことを制御する制御手段、
をさらに有する請求項８に記載のプログラム。
【請求項１０】
前記表示制御手段は、自装置と前記１つ以上の他の情報処理装置のうちの第１の情報処理装置と第２の情報処理装置にて行われている会議において、前記表示画面に電子黒板を表示させ、該電子黒板を含む表示画面に、前記会議が画像データ又は音声データの少なくとも一方を記録中である旨を表示させる請求項６乃至９のいずれか一項に記載のプログラム。
【請求項１１】
ネットワークを介して接続された１つ以上の他の情報処理装置と会議を行う情報処理装置が行う方法であって、
受付手段が、前記１つ以上の他の情報処理装置のうちの第１の情報処理装置と第２の情報処理装置にて行われている会議へ参加する旨の要求を受け付けるステップと、
表示制御手段が、前記受付手段で受け付けた会議が画像データ又は音声データの少なくとも一方を記録中である旨を表示画面に表示させるステップと、
を有する方法。
【請求項１２】
ネットワークを介して接続された１つ以上の他の情報処理装置と、前記１つ以上の他の情報処理装置と会議を行う情報処理装置とを有するシステムであって、
前記１つ以上の他の情報処理装置のうちの第１の情報処理装置と第２の情報処理装置にて行われている会議へ参加する旨の要求を受け付ける受付手段と、
前記受付手段で受け付けた会議が画像データ又は音声データの少なくとも一方を記録中である旨を表示画面に表示させる表示制御手段と、
を有するシステム。
【手続補正３】
【補正対象書類名】明細書
【補正対象項目名】０００１
【補正方法】変更
【補正の内容】
【０００１】
本発明は、情報処理装置、プログラム、方法及びシステムに関する。
【手続補正４】
【補正対象書類名】明細書
【補正対象項目名】０００７
【補正方法】変更
【補正の内容】
【０００７】
本発明は、上記課題に鑑み、画像データ又は音声データを記録している旨を報知する情報処理装置を提供することを目的とする。
【手続補正５】
【補正対象書類名】明細書
【補正対象項目名】０００８
【補正方法】変更
【補正の内容】
【０００８】
本発明は、ネットワークを介して接続された１つ以上の他の情報処理装置と会議を行う情報処理装置であって、前記１つ以上の他の情報処理装置のうちの第１の情報処理装置と第２の情報処理装置にて行われている会議へ参加する旨の要求を受け付ける受付手段と、前記受付手段で受け付けた会議が画像データ又は音声データの少なくとも一方を記録中である旨を表示画面に表示させる表示制御手段と、を有する。
【手続補正６】
【補正対象書類名】明細書
【補正対象項目名】０００９
【補正方法】変更
【補正の内容】
【０００９】
画像データ又は音声データを記録している旨を報知する情報処理装置を提供することができる。